(57)【特許請求の範囲】
【請求項１】
制御部と記憶部とを少なくとも備えたサーバ装置、及び、制御部と記憶部と表示部とを少なくとも備えた端末装置、を通信可能に接続したＢＩＭシステムであって、前記サーバ装置の前記記憶部は、建築物のＢＩＭモデルに組込可能な昇降機のＢＩＭパーツを作成するためのパーツ情報を記憶するパーツ情報記憶手段、を備え、前記サーバ装置の前記制御部は、前記端末装置から送信される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを前記端末装置へ送信する情報提供手段と、を備え、前記端末装置の前記記憶部は、前記ＢＩＭモデルを記憶するＢＩＭモデル記憶手段、を備え、前記端末装置の前記制御部は、前記情報提供手段により前記サーバ装置から送信された前記ＢＩＭパーツを、前記ＢＩＭモデル記憶手段に記憶された前記ＢＩＭモデルに組み込んだ統合ＢＩＭモデルを作成する統合モデリング手段と、前記ＢＩＭモデル記憶手段に記憶された前記ＢＩＭモデル、及び、前記情報提供手段により前記サーバ装置から送信される前記ＢＩＭパーツに基づいて、前記統合ＢＩＭモデル内の前記ＢＩＭパーツが表す昇降機の配線配管の設置経路を生成する経路生成手段と、前記統合モデリング手段により作成された前記統合ＢＩＭモデルと前記経路生成手段により生成された前記設置経路とを含むレイアウト画面を生成する画面生成手段と、前記画面生成手段により生成された前記レイアウト画面を前記表示部に表示させる画面表示手段と、前記ＢＩＭモデル記憶手段に記憶された前記ＢＩＭモデル、及び、前記情報提供手段により前記サーバ装置から送信される前記ＢＩＭパーツに基づいて、前記統合ＢＩＭモデル内の前記ＢＩＭパーツが表す昇降機の配線配管の注意箇所を検証する検証手段と、を備え、前記画面生成手段は、前記検証手段により検証された前記注意箇所として、前記情報提供手段により前記サーバ装置から送信された前記ＢＩＭパーツが表す昇降機において保守点検がしにくい箇所を含む前記レイアウト画面を生成することを特徴とするＢＩＭシステム。
【請求項２】
前記端末装置の前記制御部は、前記ＢＩＭモデル記憶手段に記憶された前記ＢＩＭモデル、及び、前記情報提供手段により前記サーバ装置から送信される前記ＢＩＭパーツに基づいて、前記統合ＢＩＭモデル内の前記ＢＩＭパーツが表す昇降機の配線配管の材料を選定する材料選定手段、を更に備え、前記画面生成手段は、前記材料選定手段により選定された材料を含む前記レイアウト画面を生成することを特徴とする請求項１に記載のＢＩＭシステム。
【請求項３】
前記端末装置の前記制御部は、前記ＢＩＭモデル記憶手段に記憶された前記ＢＩＭモデル、及び、前記情報提供手段により前記サーバ装置から送信される前記ＢＩＭパーツに基づいて、前記設置経路を検索する経路検索手段、を更に備え、前記画面生成手段は、前記経路検索手段により検索された前記設置経路を含む前記レイアウト画面を生成することを特徴とする請求項１又は請求項２に記載のＢＩＭシステム。
【請求項４】
前記端末装置の前記制御部は、前記画面表示手段により表示された前記レイアウト画面上で前記ＢＩＭモデル、又は、前記ＢＩＭパーツを変更する変更手段、を更に備え、前記画面生成手段は、前記変更手段により変更された前記ＢＩＭモデル、又は、前記ＢＩＭパーツを含む前記レイアウト画面を生成することを特徴とする請求項１から３のうちいずれか一項に記載のＢＩＭシステム。
【請求項５】
制御部と記憶部とを少なくとも備えたサーバ装置、及び、制御部と表示部とを少なくとも備えた端末装置、を通信可能に接続したＢＩＭシステムであって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、を備え、前記サーバ装置の前記制御部は、前記端末装置から送信される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを、前記ＢＩＭモデル記憶手段に記憶された前記ＢＩＭモデルに組み込んだ統合ＢＩＭモデルを作成する統合モデリング手段と、前記ＢＩＭモデル記憶手段に記憶された前記ＢＩＭモデル、及び、前記昇降機モデリング手段が作成する前記ＢＩＭパーツに基づいて、前記統合ＢＩＭモデル内の前記ＢＩＭパーツが表す昇降機の配線配管の設置経路を生成する経路生成手段と、前記ＢＩＭモデル記憶手段に記憶された前記ＢＩＭモデル、及び、前記昇降機モデリング手段が作成する前記ＢＩＭパーツに基づいて、前記統合ＢＩＭモデル内の前記ＢＩＭパーツが表す昇降機の配線配管の注意箇所を検証する検証手段と、前記統合モデリング手段により作成された前記統合ＢＩＭモデルと前記経路生成手段により生成された前記設置経路と前記検証手段により検証された前記注意箇所とを前記端末装置へ送信する情報提供手段と、を備え、前記端末装置の前記制御部は、前記情報提供手段により前記サーバ装置から送信された前記統合ＢＩＭモデルと前記設置経路とを含むレイアウト画面を生成する画面生成手段と、前記画面生成手段により生成された前記レイアウト画面を前記表示部に表示させる画面表示手段と、を備え、前記画面生成手段は、前記情報提供手段により前記サーバ装置から送信された前記注意箇所として、前記ＢＩＭパーツが表す昇降機において保守点検がしにくい箇所を含む前記レイアウト画面を生成することを特徴とするＢＩＭシステム。
【請求項６】
制御部と記憶部と表示部を少なくとも備えたＢＩＭシステムであって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、を備え、前記制御部は、利用者により入力される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを、前記ＢＩＭモデル記憶手段に記憶された前記ＢＩＭモデルに組み込んだ統合ＢＩＭモデルを作成する統合モデリング手段と、前記ＢＩＭモデル記憶手段に記憶された前記ＢＩＭモデル、及び、前記昇降機モデリング手段が作成する前記ＢＩＭパーツに基づいて、前記統合ＢＩＭモデル内の前記ＢＩＭパーツが表す昇降機の配線配管の設置経路を生成する経路生成手段と、前記統合モデリング手段により作成された前記統合ＢＩＭモデルと前記経路生成手段により生成された前記設置経路とを含むレイアウト画面を生成する画面生成手段と、前記画面生成手段により生成された前記レイアウト画面を前記表示部に表示させる画面表示手段と、前記ＢＩＭモデル記憶手段に記憶された前記ＢＩＭモデル、及び、前記昇降機モデリング手段が作成する前記ＢＩＭパーツに基づいて、前記統合ＢＩＭモデル内の前記ＢＩＭパーツが表す昇降機の配線配管の注意箇所を検証する検証手段と、を備え、前記画面生成手段は、前記検証手段により検証された前記注意箇所として、前記昇降機モデリング手段が作成した前記ＢＩＭパーツが表す昇降機において保守点検がしにくい箇所を含む前記レイアウト画面を生成することを特徴とするＢＩＭシステム。
【請求項７】
表示部を少なくとも備えた端末装置に通信可能に接続された、制御部と記憶部とを少なくとも備えたサーバ装置であって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、を備え、前記制御部は、前記端末装置から送信される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを、前記ＢＩＭモデル記憶手段に記憶された前記ＢＩＭモデルに組み込んだ統合ＢＩＭモデルを作成する統合モデリング手段と、前記ＢＩＭモデル記憶手段に記憶された前記ＢＩＭモデル、及び、前記昇降機モデリング手段が作成する前記ＢＩＭパーツに基づいて、前記統合ＢＩＭモデル内の前記ＢＩＭパーツが表す昇降機の配線配管の設置経路を生成する経路生成手段と、前記ＢＩＭモデル記憶手段に記憶された前記ＢＩＭモデル、及び、前記昇降機モデリング手段が作成する前記ＢＩＭパーツに基づいて、前記統合ＢＩＭモデル内の前記ＢＩＭパーツが表す昇降機の配線配管の注意箇所を検証する検証手段と、前記統合モデリング手段により作成された前記統合ＢＩＭモデルと前記経路生成手段により生成された前記設置経路と前記検証手段により検証された前記注意箇所とを前記端末装置へ送信する情報提供手段と、を備え、前記端末装置において、前記統合ＢＩＭモデルと前記設置経路とを含むレイアウト画面を前記表示部にて表示させると共に、前記注意箇所として、前記ＢＩＭパーツが表す昇降機において保守点検がしにくい箇所を含む前記レイアウト画面を生成させることを特徴とするサーバ装置。
【請求項８】
サーバ装置に通信可能に接続された、制御部と記憶部と表示部とを少なくとも備えた端末装置であって、前記記憶部は、建築物のＢＩＭモデルを記憶するＢＩＭモデル記憶手段、を備え、前記制御部は、前記端末装置より送信した作成条件に対応する、前記ＢＩＭモデルに組込可能な昇降機のＢＩＭパーツを、前記サーバ装置から受信し、当該ＢＩＭパーツを前記ＢＩＭモデル記憶手段に記憶された前記ＢＩＭモデルに組み込んだ統合ＢＩＭモデルを作成する統合モデリング手段と、前記ＢＩＭモデル記憶手段に記憶された前記ＢＩＭモデル、及び、前記サーバ装置から送信される前記ＢＩＭパーツに基づいて、前記統合ＢＩＭモデル内の前記ＢＩＭパーツが表す昇降機の配線配管の設置経路を生成する経路生成手段と、前記統合モデリング手段により作成された前記統合ＢＩＭモデルと前記経路生成手段により生成された前記設置経路とを含むレイアウト画面を生成する画面生成手段と、前記画面生成手段により生成された前記レイアウト画面を前記表示部に表示させる画面表示手段と、前記ＢＩＭモデル記憶手段に記憶された前記ＢＩＭモデル、及び、前記サーバ装置から送信される前記ＢＩＭパーツに基づいて、前記統合ＢＩＭモデル内の前記ＢＩＭパーツが表す昇降機の配線配管の注意箇所を検証する検証手段と、を備え、前記画面生成手段は、前記検証手段により検証された前記注意箇所として、前記サーバ装置から送信された前記ＢＩＭパーツが表す昇降機において保守点検がしにくい箇所を含む前記レイアウト画面を生成することを特徴とする端末装置。
【請求項９】
サーバ装置に通信可能に接続された、制御部と表示部とを少なくとも備えた端末装置であって、前記制御部は、前記端末装置より送信した作成条件に対応する、建築物のＢＩＭモデルに組込可能な昇降機のＢＩＭパーツを前記ＢＩＭモデルに組み込んだ統合ＢＩＭモデル、前記統合ＢＩＭモデル内の前記ＢＩＭパーツが表す昇降機の配線配管の設置経路、及び、前記統合ＢＩＭモデル内の前記ＢＩＭパーツが表す昇降機の配線配管の注意箇所を、前記サーバ装置から受信し、当該統合ＢＩＭモデルと当該設置経路とを含むレイアウト画面を生成する画面生成手段と、前記画面生成手段により生成された前記レイアウト画面を前記表示部に表示させる画面表示手段と、を備え、前記画面生成手段は、前記サーバ装置から送信された前記注意箇所として、前記ＢＩＭパーツが表す昇降機において保守点検がしにくい箇所を含む前記レイアウト画面を生成することを特徴とする端末装置。
【請求項１０】
制御部と記憶部とを少なくとも備えたサーバ装置、及び、制御部と記憶部と表示部とを少なくとも備えた端末装置、を通信可能に接続したＢＩＭシステムにおいて実行される方法であって、前記サーバ装置の前記記憶部は、建築物のＢＩＭモデルに組込可能な昇降機のＢＩＭパーツを作成するためのパーツ情報を記憶するパーツ情報記憶手段、を備え、前記端末装置の前記記憶部は、前記ＢＩＭモデルを記憶するＢＩＭモデル記憶手段、を備え、前記サーバ装置の前記制御部において実行される、前記端末装置から送信される作成条件に対応する前記ＢＩＭパーツを、前記パーツ情報記憶手段に記憶された前記パーツ情報を用いて作成する昇降機モデリングステップと、前記サーバ装置の前記制御部において実行される、前記昇降機モデリングステップにて作成された前記ＢＩＭパーツを前記端末装置へ送信する情報提供ステップと、前記端末装置の前記制御部において実行される、前記情報提供ステップにて前記サーバ装置から送信された前記ＢＩＭパーツを、前記ＢＩＭモデル記憶手段に記憶された前記ＢＩＭモデルに組み込んだ統合ＢＩＭモデルを作成する統合モデリングステップと、前記端末装置の前記制御部において実行される、前記ＢＩＭモデル記憶手段に記憶された前記ＢＩＭモデル、及び、前記情報提供ステップにて前記サーバ装置から送信される前記ＢＩＭパーツに基づいて、前記統合ＢＩＭモデル内の前記ＢＩＭパーツが表す昇降機の配線配管の設置経路を生成する経路生成ステップと、前記端末装置の前記制御部において実行される、前記統合モデリングステップにて作成された前記統合ＢＩＭモデルと前記経路生成ステップにて生成された前記設置経路とを含むレイアウト画面を生成する画面生成ステップと、前記端末装置の前記制御部において実行される、前記画面生成ステップにて生成された前記レイアウト画面を前記表示部に表示させる画面表示ステップと、前記端末装置の前記制御部において実行される、前記ＢＩＭモデル記憶手段に記憶された前記ＢＩＭモデル、及び、前記情報提供ステップにて前記サーバ装置から送信される前記ＢＩＭパーツに基づいて、前記統合ＢＩＭモデル内の前記ＢＩＭパーツが表す昇降機の配線配管の注意箇所を検証する検証ステップと、を含み、前記画面生成ステップでは、前記検証ステップにて検証された前記注意箇所として、前記情報提供ステップにて前記サーバ装置から送信された前記ＢＩＭパーツが表す昇降機において保守点検がしにくい箇所を含む前記レイアウト画面を生成することを特徴とする方法。
【請求項１１】
制御部と記憶部とを少なくとも備えたサーバ装置、及び、制御部と表示部とを少なくとも備えた端末装置、を通信可能に接続したＢＩＭシステムにおいて実行される方法であって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、を備え、前記サーバ装置の前記制御部において実行される、前記端末装置から送信される作成条件に対応する前記ＢＩＭパーツを、前記パーツ情報記憶手段に記憶された前記パーツ情報を用いて作成する昇降機モデリングステップと、前記サーバ装置の前記制御部において実行される、前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、前記サーバ装置の前記制御部において実行される、前記ＢＩＭモデル記憶手段に記憶された前記ＢＩＭモデル、及び、前記昇降機モデリングステップにて作成された前記ＢＩＭパーツに基づいて、前記統合ＢＩＭモデル内の前記ＢＩＭパーツが表す昇降機の配線配管の設置経路を生成する経路生成ステップと、前記サーバ装置の前記制御部において実行される、前記ＢＩＭモデル記憶手段に記憶された前記ＢＩＭモデル、及び、前記昇降機モデリングステップにて作成された前記ＢＩＭパーツに基づいて、前記統合ＢＩＭモデル内の前記ＢＩＭパーツが表す昇降機の配線配管の注意箇所を検証する検証ステップと、前記サーバ装置の前記制御部において実行される、前記統合モデリングステップにて作成された前記統合ＢＩＭモデルと前記経路生成ステップにて生成された前記設置経路と前記検証ステップにて前記注意箇所とを前記端末装置へ送信する情報提供ステップと、前記端末装置の前記制御部において実行される、前記情報提供ステップにて前記サーバ装置から送信された前記統合ＢＩＭモデルと前記設置経路とを含むレイアウト画面を生成する画面生成ステップと、前記端末装置の前記制御部において実行される、前記画面生成ステップにて生成された前記レイアウト画面を前記表示部に表示させる画面表示ステップと、を含み、前記画面生成ステップでは、前記情報提供ステップにて前記サーバ装置から送信された前記注意箇所として、前記ＢＩＭパーツが表す昇降機において保守点検がしにくい箇所を含む前記レイアウト画面を生成することを特徴とする方法。
【請求項１２】
制御部と記憶部と表示部を少なくとも備えたＢＩＭシステムにおいて実行される方法であって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、を備え、前記制御部において実行される、利用者により入力される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、前記ＢＩＭモデル記憶手段に記憶された前記ＢＩＭモデル、及び、前記昇降機モデリングステップにて作成された前記ＢＩＭパーツに基づいて、前記統合ＢＩＭモデル内の前記ＢＩＭパーツが表す昇降機の配線配管の設置経路を生成する経路生成ステップと、前記統合モデリングステップにて作成された前記統合ＢＩＭモデルと前記経路生成ステップにて生成された前記設置経路とを含むレイアウト画面を生成する画面生成ステップと、前記画面生成ステップにて生成された前記レイアウト画面を前記表示部に表示させる画面表示ステップと、前記ＢＩＭモデル記憶手段に記憶された前記ＢＩＭモデル、及び、前記昇降機モデリングステップにて作成された前記ＢＩＭパーツに基づいて、前記統合ＢＩＭモデル内の前記ＢＩＭパーツが表す昇降機の配線配管の注意箇所を検証する検証ステップと、を含み、前記画面生成ステップでは、前記検証ステップにて検証された前記注意箇所として、前記昇降機モデリンステップにて作成された前記ＢＩＭパーツが表す昇降機において保守点検がしにくい箇所を含む前記レイアウト画面を生成することを特徴とする方法。
【請求項１３】
表示部を少なくとも備えた端末装置に通信可能に接続された、制御部と記憶部とを少なくとも備えたサーバ装置において実行される方法であって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、を備え、前記制御部において実行される、前記端末装置から送信される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、前記ＢＩＭモデル記憶手段に記憶された前記ＢＩＭモデル、及び、前記昇降機モデリングステップにて作成された前記ＢＩＭパーツに基づいて、前記統合ＢＩＭモデル内の前記ＢＩＭパーツが表す昇降機の配線配管の設置経路を生成する経路生成ステップと、前記ＢＩＭモデル記憶手段に記憶された前記ＢＩＭモデル、及び、前記昇降機モデリングステップにて作成された前記ＢＩＭパーツに基づいて、前記統合ＢＩＭモデル内の前記ＢＩＭパーツが表す昇降機の配線配管の注意箇所を検証する検証ステップと、前記統合モデリングステップにて作成された前記統合ＢＩＭモデルと前記経路生成ステップにて生成された前記設置経路と前記検証ステップにて検証された前記注意箇所とを前記端末装置へ送信する情報提供ステップと、を含み、前記端末装置において、前記統合ＢＩＭモデルと前記設置経路とを含むレイアウト画面を前記表示部にて表示させると共に、前記注意箇所として、前記ＢＩＭパーツが表す昇降機において保守点検がしにくい箇所を含む前記レイアウト画面を生成させることを特徴とする方法。
【請求項１４】
サーバ装置に通信可能に接続された、制御部と記憶部と表示部とを少なくとも備えた端末装置において実行される方法であって、前記記憶部は、建築物のＢＩＭモデルを記憶するＢＩＭモデル記憶手段、を備え、前記制御部において実行される、前記端末装置より送信した作成条件に対応する、前記ＢＩＭモデルに組込可能な昇降機のＢＩＭパーツを、前記サーバ装置から受信し、当該ＢＩＭパーツを前記ＢＩＭモデル記憶手段に記憶された前記ＢＩＭモデルに組み込んだ統合ＢＩＭモデルを作成する統合モデリングステップと、前記ＢＩＭモデル記憶手段に記憶された前記ＢＩＭモデル、及び、前記サーバ装置から送信される前記ＢＩＭパーツに基づいて、前記統合ＢＩＭモデル内の前記ＢＩＭパーツが表す昇降機の配線配管の設置経路を生成する経路生成ステップと、前記統合モデリングステップにて作成された前記統合ＢＩＭモデルと前記経路生成ステップにて生成された前記設置経路とを含むレイアウト画面を生成する画面生成ステップと、前記画面生成ステップにて生成された前記レイアウト画面を前記表示部に表示させる画面表示ステップと、前記ＢＩＭモデル記憶手段に記憶された前記ＢＩＭモデル、及び、前記サーバ装置から送信される前記ＢＩＭパーツに基づいて、前記統合ＢＩＭモデル内の前記ＢＩＭパーツが表す昇降機の配線配管の注意箇所を検証する検証ステップと、を含み、前記画面生成ステップでは、前記検証ステップにて検証された前記注意箇所として、前記サーバ装置から送信された前記ＢＩＭパーツが表す昇降機において保守点検がしにくい箇所を含む前記レイアウト画面を生成することを特徴とする方法。
【請求項１５】
サーバ装置に通信可能に接続された、制御部と表示部とを少なくとも備えた端末装置において実行される方法であって、前記制御部において実行される、前記端末装置より送信した作成条件に対応する、建築物のＢＩＭモデルに組込可能な昇降機のＢＩＭパーツを前記ＢＩＭモデルに組み込んだ統合ＢＩＭモデル、前記統合ＢＩＭモデル内の前記ＢＩＭパーツが表す昇降機の配線配管の設置経路、及び、前記統合ＢＩＭモデル内の前記ＢＩＭパーツが表す昇降機の配線配管の注意箇所を、前記サーバ装置から受信し、当該統合ＢＩＭモデルと当該設置経路とを含むレイアウト画面を生成する画面生成ステップと、前記画面生成ステップにて生成された前記レイアウト画面を前記表示部に表示させる画面表示ステップと、を含み、前記画面生成ステップでは、前記サーバ装置から送信された前記注意箇所として、前記ＢＩＭパーツが表す昇降機において保守点検がしにくい箇所を含む前記レイアウト画面を生成することを特徴とする方法。
【請求項１６】
制御部と記憶部と表示部を少なくとも備えたＢＩＭシステムに実行させるためのプログラムであって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、を備え、前記制御部において、利用者により入力される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、前記ＢＩＭモデル記憶手段に記憶された前記ＢＩＭモデル、及び、前記昇降機モデリングステップにて作成された前記ＢＩＭパーツに基づいて、前記統合ＢＩＭモデル内の前記ＢＩＭパーツが表す昇降機の配線配管の設置経路を生成する経路生成ステップと、前記統合モデリングステップにて作成された前記統合ＢＩＭモデルと前記経路生成ステップにて生成された前記設置経路とを含むレイアウト画面を生成する画面生成ステップと、前記画面生成ステップにて生成された前記レイアウト画面を前記表示部に表示させる画面表示ステップと、前記ＢＩＭモデル記憶手段に記憶された前記ＢＩＭモデル、及び、前記昇降機モデリングステップにて作成された前記ＢＩＭパーツに基づいて、前記統合ＢＩＭモデル内の前記ＢＩＭパーツが表す昇降機の配線配管の注意箇所を検証する検証ステップと、を実行させ、前記画面生成ステップでは、前記検証ステップにて検証された前記注意箇所として、前記昇降機モデリンステップにて作成された前記ＢＩＭパーツが表す昇降機において保守点検がしにくい箇所を含む前記レイアウト画面を生成することを特徴とするプログラム。
【請求項１７】
表示部を少なくとも備えた端末装置に通信可能に接続された、制御部と記憶部とを少なくとも備えたサーバ装置に実行させるためのプログラムであって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、を備え、前記制御部において、前記端末装置から送信される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、前記ＢＩＭモデル記憶手段に記憶された前記ＢＩＭモデル、及び、前記昇降機モデリングステップにて作成された前記ＢＩＭパーツに基づいて、前記統合ＢＩＭモデル内の前記ＢＩＭパーツが表す昇降機の配線配管の設置経路を生成する経路生成ステップと、前記ＢＩＭモデル記憶手段に記憶された前記ＢＩＭモデル、及び、前記昇降機モデリングステップにて作成された前記ＢＩＭパーツに基づいて、前記統合ＢＩＭモデル内の前記ＢＩＭパーツが表す昇降機の配線配管の注意箇所を検証する検証ステップと、前記統合モデリングステップにて作成された前記統合ＢＩＭモデルと前記経路生成ステップにて生成された前記設置経路と前記検証ステップにて検証された前記注意箇所とを前記端末装置へ送信する情報提供ステップと、を実行させ、前記端末装置において、前記統合ＢＩＭモデルと前記設置経路とを含むレイアウト画面を前記表示部にて表示させると共に、前記注意箇所として、前記ＢＩＭパーツが表す昇降機において保守点検がしにくい箇所を含む前記レイアウト画面を生成させることを特徴とするプログラム。
【請求項１８】
サーバ装置に通信可能に接続された、制御部と記憶部と表示部とを少なくとも備えた端末装置に実行させるためのプログラムであって、前記記憶部は、建築物のＢＩＭモデルを記憶するＢＩＭモデル記憶手段、を備え、前記制御部において、前記端末装置より送信した作成条件に対応する、前記ＢＩＭモデルに組込可能な昇降機のＢＩＭパーツを、前記サーバ装置から受信し、当該ＢＩＭパーツを前記ＢＩＭモデル記憶手段に記憶された前記ＢＩＭモデルに組み込んだ統合ＢＩＭモデルを作成する統合モデリングステップと、前記ＢＩＭモデル記憶手段に記憶された前記ＢＩＭモデル、及び、前記サーバ装置から送信される前記ＢＩＭパーツに基づいて、前記統合ＢＩＭモデル内の前記ＢＩＭパーツが表す昇降機の配線配管の設置経路を生成する経路生成ステップと、前記統合モデリングステップにて作成された前記統合ＢＩＭモデルと前記経路生成ステップにて生成された前記設置経路とを含むレイアウト画面を生成する画面生成ステップと、前記画面生成ステップにて生成された前記レイアウト画面を前記表示部に表示させる画面表示ステップと、前記ＢＩＭモデル記憶手段に記憶された前記ＢＩＭモデル、及び、前記サーバ装置から送信される前記ＢＩＭパーツに基づいて、前記統合ＢＩＭモデル内の前記ＢＩＭパーツが表す昇降機の配線配管の注意箇所を検証する検証ステップと、を実行させ、前記画面生成ステップでは、前記検証ステップにて検証された前記注意箇所として、前記サーバ装置から送信された前記ＢＩＭパーツが表す昇降機において保守点検がしにくい箇所を含む前記レイアウト画面を生成することを特徴とするプログラム。
【請求項１９】
サーバ装置に通信可能に接続された、制御部と表示部とを少なくとも備えた端末装置に実行させるためのプログラムであって、前記制御部において、前記端末装置より送信した作成条件に対応する、建築物のＢＩＭモデルに組込可能な昇降機のＢＩＭパーツを前記ＢＩＭモデルに組み込んだ統合ＢＩＭモデル、前記統合ＢＩＭモデル内の前記ＢＩＭパーツが表す昇降機の配線配管の設置経路、及び、前記統合ＢＩＭモデル内の前記ＢＩＭパーツが表す昇降機の配線配管の注意箇所を、前記サーバ装置から受信し、当該統合ＢＩＭモデルと当該設置経路とを含むレイアウト画面を生成する画面生成ステップと、前記画面生成ステップにて生成された前記レイアウト画面を前記表示部に表示させる画面表示ステップと、を実行させ、前記画面生成ステップでは、前記サーバ装置から送信された前記注意箇所として、前記ＢＩＭパーツが表す昇降機において保守点検がしにくい箇所を含む前記レイアウト画面を生成することを特徴とするプログラム。
【発明の詳細な説明】
【技術分野】
【０００１】
本発明の実施形態は、ＢＩＭシステム、サーバ装置、端末装置、方法及びプログラムに関する。
【背景技術】
【０００２】
従来、昇降機メーカの担当者は、昇降機を備える建築物を設計する客先に対して、平面図や断面図等の二次元図面及びカタログや納入実績等の写真を使用して、昇降機の設備計画を提案していた。そこで、近年、昇降機の設備計画を提案する際、建築物に昇降機を組み込んだ状態を視覚的に分かりやすく表示する技術が求められていた。
【先行技術文献】
【特許文献】
【０００３】
【特許文献１】特開２０１０−２６２５８０号公報
【発明の概要】
【発明が解決しようとする課題】
【０００４】
本実施形態が解決しようとする課題は、昇降機の設備計画を提案する際、建築物に昇降機を組み込んだ状態を視覚的に分かりやすく表示することができるＢＩＭシステム、サーバ装置、端末装置、方法及びプログラムを提供することである。
【課題を解決するための手段】
【０００５】
実施形態のＢＩＭシステムは、制御部と記憶部とを少なくとも備えたサーバ装置、及び、制御部と記憶部と表示部とを少なくとも備えた端末装置、を通信可能に接続したＢＩＭシステムである。前記サーバ装置の前記記憶部は、パーツ情報記憶手段、を備える。パーツ情報記憶手段は、建築物のＢＩＭモデルに組込可能な昇降機のＢＩＭパーツを作成するためのパーツ情報を記憶する。前記サーバ装置の前記制御部は、昇降機モデリング手段と、情報提供手段と、を備える。昇降機モデリング手段は、前記端末装置から送信される作成条件に対応する前記ＢＩＭパーツを、前記パーツ情報記憶手段に記憶された前記パーツ情報を用いて作成する。情報提供手段は、前記昇降機モデリング手段により作成された前記ＢＩＭパーツを前記端末装置へ送信する。前記端末装置の前記記憶部は、前記ＢＩＭモデルを記憶するＢＩＭモデル記憶手段、を備える。前記端末装置の前記制御部は、統合モデリング手段と、経路生成手段と、画面生成手段と、画面表示手段と、検証手段と、を備える。統合モデリング手段は、前記情報提供手段により前記サーバ装置から送信された前記ＢＩＭパーツを、前記ＢＩＭモデル記憶手段に記憶された前記ＢＩＭモデルに組み込んだ統合ＢＩＭモデルを作成する。経路生成手段は、前記ＢＩＭモデル記憶手段に記憶された前記ＢＩＭモデル、及び、前記情報提供手段により前記サーバ装置から送信される前記ＢＩＭパーツに基づいて、前記統合ＢＩＭモデル内の前記ＢＩＭパーツが表す昇降機の配線配管の設置経路を生成する。画面生成手段は、前記統合モデリング手段により作成された前記統合ＢＩＭモデルと前記経路生成手段により生成された前記設置経路とを含むレイアウト画面を生成する。画面表示手段は、前記画面生成手段により生成された前記レイアウト画面を前記表示部に表示させる。検証手段は、前記ＢＩＭモデル記憶手段に記憶された前記ＢＩＭモデル、及び、前記情報提供手段により前記サーバ装置から送信される前記ＢＩＭパーツに基づいて、前記統合ＢＩＭモデル内の前記ＢＩＭパーツが表す昇降機の配線配管の注意箇所を検証する。そして、前記画面生成手段は、前記検証手段により検証された前記注意箇所として、前記情報提供手段により前記サーバ装置から送信された前記ＢＩＭパーツが表す昇降機において保守点検がしにくい箇所を含む前記レイアウト画面を生成する。
【図面の簡単な説明】
【０００６】
【図１】図１は、建築物の設計図書及びＢＩＭモデルの一例を示す概念図である。
【図２】図２は、第１の実施形態におけるＢＩＭシステムの構成の一例を示すブロック図である。
【図３】図３は、昇降機のＢＩＭパーツの一例を示す図である。
【図４】図４は、ＢＩＭモデルにＢＩＭパーツを組み込んだ統合ＢＩＭモデルを含むレイアウト画面の一例を示す図である。
【図５】図５は、統合ＢＩＭモデルと配線配管の設置経路とを含むレイアウト画面の一例を示す図である。
【図６】図６は、第１の実施形態における処理の一例を示すフローチャートである。
【図７】図７は、第２の実施形態におけるサーバ装置の構成の一例を示すブロック図である。
【図８】図８は、第２の実施形態における処理の一例を示すフローチャートである。
【図９】図９は、第３の実施形態におけるＢＩＭ装置の構成の一例を示すブロック図である。
【図１０】図１０は、第３の実施形態における処理の一例を示すフローチャートである。
【発明を実施するための形態】
【０００７】
以下に、実施形態にかかるＢＩＭシステム、サーバ装置、端末装置、方法、及び、プログラムの実施の形態を図面に基づいて詳細に説明する。なお、この実施の形態によりこの発明が限定されるものではない。
【０００８】
ここで、図１を参照して、実施形態において利用されるＢＩＭ（ビルディングインフォーメーションモデル）の概要について説明する。図１は、建築物の設計図書及びＢＩＭモデルの一例を示す概念図である。図１では、建築物の設計図書による設計方法とＢＩＭによる設計方法との違いを表している。図１の左側に示すように、建築物の設計図書による設計方法では、建築物の設計に関わる各業種が個々に専門図面を作成しているため、各々が関連性及び整合性を各々とる必要がある。つまり、建築物の設計図書による設計方法では、例えば関連する設計図書の修正が必要となり、また、その整合性のチェックも必要となる。一方、図１の右側に示すＢＩＭによる設計方法では、各業種にて建物全体データである建築物の３次元モデル（すなわち、建築物のＢＩＭモデル）を共有することができるので、１個のデータ上で関連性及び整合性の確認を行うことができる。以下の実施形態では、このＢＩＭを使用した昇降機客先提案システムについて説明する。
【０００９】
以下、実施形態の構成及び処理について、第１の実施形態（ＢＩＭシステム）、第２の実施形態（サーバ装置（サーバ主導型））、第３の実施形態（機能集中型のシステム（スタンドアロン型のＢＩＭ装置））の順にて詳細に説明する。
【００１０】
［第１の実施形態］
最初に、第１の実施形態（ＢＩＭシステム）について、図２乃至図６を参照して以下に説明する。なお、第１の実施形態で例示するＢＩＭシステムにおけるサーバ側と端末側の機能分散の形態は以下に限られず、同様の効果や機能を奏し得る範囲において、任意の単位で機能的または物理的に分散・統合して構成することができる。
【００１１】
［ＢＩＭシステムの構成］
まず、第１の実施形態におけるＢＩＭシステムの構成の一例について、図２を参照して以下に説明する。図２は、第１の実施形態におけるＢＩＭシステムの構成の一例を示すブロック図であり、該構成のうち主要な部分を概念的に示している。なお、本実施形態においては、通信型のＢＩＭシステムを具体例として説明するが、これに限ることなく、スタンドアロン型のＢＩＭシステムなどにも適用可能である。
【００１２】
図２に示すように、第１の実施形態のＢＩＭシステムは、概略的に、昇降機の３次元モデル（すなわち、昇降機のＢＩＭパーツ）等の情報を提供できるサーバ装置２００、及び、単数または複数のＢＩＭアプリケーション等を搭載した端末装置１００、を通信可能に接続して構成される。ここで、図２に示すように、通信には、一例として、ネットワーク３００を介した有線・無線通信等の遠隔通信等を含む。また、これらＢＩＭシステムの各部は任意の通信路を介して通信可能に接続されている。
【００１３】
図２に示すように、第１の実施形態のＢＩＭシステムにおいて、サーバ装置２００は、概略的に、制御部２０２と記憶部２０６とを少なくとも備えている。端末装置１００は、出力部（表示部１１４及び音声出力部１１６）と入力部１１８と制御部１０２と記憶部１０６とを少なくとも備える。
【００１４】
［サーバ装置２００の構成］
ここで、図２において、サーバ装置２００は、端末装置１００から送信される作成条件に対応する建築物のＢＩＭモデルに組込可能な昇降機のＢＩＭパーツを、記憶部２０６に記憶されたパーツ情報を用いて作成する機能を有する。そして、サーバ装置２００は、作成されたＢＩＭパーツを端末装置１００へ送信する等の機能を有する。サーバ装置２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、サーバ装置２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースやテーブル（パーツ情報データベース２０６ａ等）を格納する。
【００１５】
これら記憶部２０６の各構成要素のうち、パーツ情報記憶手段としてのパーツ情報データベース２０６ａは、建築物のＢＩＭモデルに組込可能な昇降機のＢＩＭパーツを作成するためのパーツ情報を記憶する。本実施形態において、昇降機は、エレベータ及び乗客コンベアを含む概念であり、乗客コンベアは、エスカレータ及び動く歩道を含む。ここで、パーツ情報は、利用者が建築物のＢＩＭモデルに組み込む昇降機のＢＩＭパーツを設計する上で必要となるあらゆる情報を含む。パーツ情報としては、例えば、用途、定員、積載量、動作速度、色、機種等といった昇降機の仕様、昇降機を建築物に設置する際に必要とされるスペース、寸法、各種付属設備、各種配線配管に関する情報などのうちの少なくとも１つを含む。さらに、パーツ情報としては、例えば、昇降機を構成する必要部材の部材強度、価格、寸法、質量、色、素材、材料、固有振動数といった情報の他、納期、在庫状況、据付時間、仕上げ材、耐用年数、メーカ情報、品番型番などのうちの少なくとも１つを含むでもよい。なお、パーツ情報は、上記に限定されない。
【００１６】
より具体的には、本実施形態において、パーツ情報は、例えば、後述の制御部１０２の処理によりＢＩＭパーツをＢＩＭモデルに組み込む際等に用いられるＢＩＭパーツのサイズ情報を含む。ここで、ＢＩＭパーツのサイズ情報は、ＢＩＭパーツを構成する各ユニット、構成部品のサイズ情報も含む。ＢＩＭパーツを構成する各ユニットとしては、例えば、本実施形態のように昇降機がエレベータである場合には、昇降路、乗りかご、カウンタウェイト、メインロープ、巻上機、ガイドレール、乗り場ホール関連品、機械室、制御盤、電源設備、各種配線配管等が挙げられる。また、ＢＩＭパーツを構成する各ユニットとしては、例えば、昇降機がエスカレータである場合には、トラス、踏段、踏段チェーン、移動手摺、乗降板、欄干、駆動装置、機械室、制御盤、電源設備、各種配線配管等が挙げられる。また、パーツ情報は、例えば、後述の制御部１０２の処理により昇降機の配線配管の設置経路を検索、生成する際、配線配管の材料を選定する際、設置経路の注意箇所を検証する際等に用いられる配線配管情報を含む。ここで、配線配管情報は、典型的には、ＢＩＭパーツの電気設備等の各種設備の配線配管に関する情報を含む。配線配管情報は、例えば、配線配管を構成する材料、色、各種寸法（長さ、直径等）、質量、使用対象、物性、価格、納期等の情報のうちの少なくとも１つを含んでもよいが、これに限らない。また、パーツ情報は、例えば、後述の制御部１０２の処理によりＢＩＭパーツをＢＩＭモデルに組み込んだ統合ＢＩＭモデルの動作を解析する際に用いられるＢＩＭパーツの動作パラメータを含む。ここで、動作パラメータは、昇降機の動作速度、動作パターン等を規定するパラメータである。また、パーツ情報は、例えば、後述の制御部１０２の処理よりＢＩＭパーツを変更する際に用いられる設定パラメータを含む。ここで、設定パラメータは、ＢＩＭパーツを構成する各ユニットのサイズ、色、材質、上記配線配管情報等を規定するパラメータを含む。なお、ＢＩＭパーツは、典型的なＢＩＭモデルと同様に、このＢＩＭパーツ自体に対象の昇降機に関連するパーツ情報等の属性情報を含んでいる。
【００１７】
また、制御部２０２は、ＯＳ（Ｏｐｅｒａｔｉｎｇ  Ｓｙｓｔｅｍ）等の制御プログラムや、各種の処理手順等を規定したプログラム、及び、所要データを格納するための内部メモリを有する。そして、制御部２０２は、これらのプログラム等により、種々の処理を実行するための情報処理を行う。制御部２０２は、機能概念的に、作成条件受信手段としての作成条件受信部２０２ａ、昇降機モデリング手段としての昇降機モデリング部２０２ｂ、及び、情報提供手段としての情報提供部２０２ｃ、を備える。
【００１８】
このうち、作成条件受信部２０２ａは、端末装置１００から送信される作成条件を受信する。ここで、作成条件は、利用者が所望する昇降機の仕様を示す条件である。つまり、作成条件は、建築物のＢＩＭモデルに組込可能な昇降機のＢＩＭパーツを作成するための条件を指定する。作成条件は、例えば、機種、色、素材、希望の価格、納期、利用者の嗜好性等のうちの少なくとも１つを含んでもよい。また、作成条件は、例えば、昇降機を設置する建築物の概要、設置位置等、後述するＢＩＭモデルデータベース１０６ａに格納されている建築物のＢＩＭモデルの構造情報を含んでもよい。また、作成条件は、利用者により端末装置１００において入力部１１８を介して入力されたものであってもよいし、予め作成条件が記憶された外部記憶装置（図示せず）から読み込まれたものであってもよい。
【００１９】
また、昇降機モデリング部２０２ｂは、作成条件受信部２０２ａにより受信された作成条件に対応する昇降機のＢＩＭパーツを、パーツ情報データベース２０６ａに記憶されたパーツ情報を用いて作成する。昇降機モデリング部２０２ｂは、例えば、図３に示すようなエレベータの３次元のＢＩＭパーツを作成する。ここで、図３は、昇降機のＢＩＭパーツの一例を示す図である。図３の左側は、昇降路、乗りかご、ガイドレール等のユニットから構成されるＢＩＭパーツであり、図３の右側は、乗り場ホーム関連品の一例として、乗降口のドアのユニット等から構成されるＢＩＭパーツである。昇降機モデリング部２０２ｂは、利用者が後述のレイアウト画面で確認しながら選択可能なように、作成条件を満たす複数の昇降機のＢＩＭパーツを作成してもよい。昇降機モデリング部２０２ｂは、例えば、作成条件受信部２０２ａにより受信された作成条件に基づいた後述のＢＩＭモデルの構造情報等に基づいて、建築物の概要、規模、設置位置、電源設備容量等から当該建築物に設置可能な昇降機のＢＩＭパーツを単数あるいは複数作成する。また、昇降機モデリング部２０２ｂは、作成条件受信部２０２ａにより受信された作成条件に基づいた納期、価格、あるいは、嗜好性に応じてＢＩＭパーツを自動的に最適化して作成するようにしてもよい。例えば、昇降機モデリング部２０２ｂは、利用者によって昇降機の設置に際し納期優先の選択がなされている場合には、設置可能な昇降機のＢＩＭパーツのうち納期が早いものから順に自動で複数作成するようにしてもよい。同様に、昇降機モデリング部２０２ｂは、利用者によって価格優先の選択がなされている場合には、設置可能な複数の昇降機のＢＩＭパーツのうち価格が安いものから順に自動で複数作成するようにしてもよい。昇降機モデリング部２０２ｂは、利用者によって利用者の嗜好性が設定されている場合には、設置可能な複数の昇降機のＢＩＭパーツのうち嗜好性にあったものから順に自動で複数作成するようにしてもよい。昇降機モデリング部２０２ｂは、作成した昇降機のＢＩＭパーツを記憶部２０６に格納して、ＢＩＭパーツデータベース（図示せず）を構築してもよい。
【００２０】
また、情報提供部２０２ｃは、昇降機モデリング部２０２ｂにより作成された昇降機のＢＩＭパーツを端末装置１００へ送信する。ここでは、情報提供部２０２ｃは、昇降機のＢＩＭパーツの情報を含むＢＩＭ情報を生成し、生成されたＢＩＭ情報を端末装置１００へ送信する。
【００２１】
［端末装置１００の構成］
また、図２において、端末装置１００は、サーバ装置２００から送信された昇降機のＢＩＭパーツを、記憶部１０６に記憶された建築物のＢＩＭモデルに組み込んだ統合ＢＩＭモデルを作成する機能を有する。そして、端末装置１００は、作成された統合ＢＩＭモデルを含むレイアウト画面を生成し、生成されたレイアウト画面を表示部１１４に表示させる等の機能を有する。端末装置１００は、統合ＢＩＭモデル内のＢＩＭパーツが表す昇降機の配線配管の設置経路を生成し、当該配線配管の設置経路を含むレイアウト画面を生成し、生成されたレイアウト画面を表示部１１４に表示させる等の機能を有する。端末装置１００は、例えば、一般に市販されるデスクトップ型またはノート型のパーソナルコンピュータ等の情報処理装置、携帯電話、スマートフォン、ＰＨＳ、及びＰＤＡ等の携帯端末装置等である。ここで、端末装置１００は、インターネットブラウザ等を搭載していてもよく、ＢＩＭアプリケーション等を搭載していてもよい。また、端末装置１００は、表示部１１４と音声出力部１１６とを少なくとも含む出力部を備えていてもよい。また、端末装置１００は、データ入力等を行う入力部１１８を備えていてもよい。
【００２２】
ここで、表示部１１４は、アプリケーション等の表示画面を表示する表示手段（例えば、液晶または有機ＥＬ等から構成されるディスプレイ、モニタ、及び、タッチパネル等）であってもよい。また、音声出力部１１６は、音声情報を音声として出力する音声出力手段（例えば、スピーカ等）であってもよい。また、入力部１１８は、例えば、キー入力部、タッチパネル、コントロールパッド（例えば、タッチパッド、及び、ゲームパッド等）、マウス、キーボード、及び、マイク等であってもよい。また、入出力制御インターフェース部１０８は、表示部１１４、音声出力部１１６、及び、入力部１１８等の制御を行う。
【００２３】
また、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、サーバ装置２００等と通信回線を介してデータを通信する機能を有している。また、ネットワーク３００は、端末装置１００及びサーバ装置２００と、外部機器または外部システムとを相互に接続する機能を有し、例えば、インターネット、電話回線網（携帯端末回線網及び一般電話回線網等）、イントラネット、または、電力線通信（ＰＬＣ）等であってもよい。
【００２４】
また、記憶部１０６は、ＨＤＤやＳＳＤ等の大容量のストレージ手段、及び／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段である。記憶部１０６は、各種のデータベースやファイルやテーブル（ＢＩＭモデル記憶手段としてのＢＩＭモデルデータベース１０６ａ、オブジェクト情報記憶手段としてのオブジェクト情報データベース１０６ｂ等）を格納してもよい。ここで、記憶部１０６は、各種のファイル等を一時的に記憶するものであってもよい。
【００２５】
ＢＩＭモデルデータベース１０６ａは、建築物のＢＩＭモデルを記憶する。本実施形態において、ＢＩＭモデルデータベース１０６ａには、予め設計者により設計された建築物のＢＩＭモデルが格納されている。ここで、ＢＩＭモデルには、例えば、建物形状、空間関係、地理情報、建物部材の数量や特性、部材強度、固有振動数、耐用年数、各種付属設備、各種配線配管等の情報のうちの少なくとも１つを含む構造情報が含まれるが、これに限定されない。本実施形態において、上述の昇降機モデリング部２０２ｂによりＢＩＭパーツを作成する際、後述の制御部１０２によりＢＩＭパーツが表す昇降機の配線配管の設置経路を検索、生成する際、配線配管の設置経路の注意箇所の検証の際等に、上述の構造情報が参照される。
【００２６】
オブジェクト情報データベース１０６ｂは、建築物のＢＩＭモデル内で移動可能なヒトオブジェクトや環境に影響を及ぼす各種の環境オブジェクトに関するオブジェクト情報を記憶する。例えば、ヒトオブジェクトに関するオブジェクト情報は、所定条件に従って移動可能なヒトを模した３次元モデルを定義する情報である。ヒトオブジェクトに関するオブジェクト情報は、ヒトと模した３次元モデルを構築するための形状データの他、例えば、各ヒトオブジェクトについて出発地と目的地と少なくとも含む移動条件等を含む。また、例えば、環境オブジェクトに関するオブジェクト情報は、昇降機が設置される建築物の内外の環境を定義する情報であり、各種静的な環境条件、動的な環境条件等の情報を含む。また、環境オブジェクトに関するオブジェクト情報は、建築物の内外の環境に影響を及ぼす物体の３次元モデルを構築するための形状データ等を含んでもよい。オブジェクト情報は、外部記憶装置（図示せず）から読み込まれたものであってもよいし、入力部１１８を介して入力されたものであってもよいし、ネットワーク３００を介して取得されたものであってもよい。後述の制御部１０２により統合ＢＩＭモデルの動作を解析する際等に、上述のオブジェクト情報が参照される。
【００２７】
また、制御部１０２は、ＯＳ（Ｏｐｅｒａｔｉｎｇ  Ｓｙｓｔｅｍ）等の制御プログラムや、各種の処理手順等を規定したプログラム、及び、所要データを格納するための内部メモリを有する。そして、制御部１０２は、これらのプログラム等により、種々の処理を実行するための情報処理を行う。制御部１０２は、機能概念的に、作成条件送信手段としての作成条件送信部１０２ａ、統合モデリング手段としての統合モデリング部１０２ｂ、画面生成手段としての画面生成部１０２ｃ、画面表示手段としての画面表示部１０２ｄ、動作解析手段としての動作解析部１０２ｅを備える。さらに、制御部１０２は、機能概念的に、変更手段としての変更部１０２ｆ、経路生成手段としての経路生成部１０２ｇ、経路検索手段としての経路検索部１０２ｈ、材料選定手段としての材料選定部１０２ｉ、検証手段としての検証部１０２ｊを備える。
【００２８】
このうち、作成条件送信部１０２ａは、利用者により入力される上述の作成条件をサーバ装置２００へ送信する作成条件送信手段である。作成条件は、利用者により入力部１１８を介して入力されたものであってもよいし、予め作成条件が記憶された外部記憶装置（図示せず）から読み込まれたものであってもよい。
【００２９】
また、統合モデリング部１０２ｂは、サーバ装置２００から送信されたＢＩＭ情報に応じた昇降機のＢＩＭパーツを、ＢＩＭモデルデータベース１０６ａに記憶された建築物のＢＩＭモデルに組み込んだ統合ＢＩＭモデルを作成する。例えば、統合モデリング部１０２ｂは、図４に示すようなエレベータのＢＩＭパーツを建築物のＢＩＭモデルの組み込んだ３次元の統合ＢＩＭモデルを作成する。ここで、図４は、ＢＩＭモデルにＢＩＭパーツを組み込んだ統合ＢＩＭモデルの一例を示す図である。図４では、建築物の完成時におけるエレベータの設置状態を示す統合ＢＩＭモデルの一部が示されている。ここで、統合モデリング部１０２ｂは、作成した統合ＢＩＭモデルを記憶部１０６に格納して、統合ＢＩＭモデルデータベース（図示せず）を構築してもよい。
【００３０】
また、画面生成部１０２ｃは、統合モデリング部１０２ｂにより作成された統合ＢＩＭモデルを含むレイアウト画面を生成する。
【００３１】
また、画面表示部１０２ｄは、画面生成部１０２ｃにより生成されたレイアウト画面を表示部１１４に表示させる。画面表示部１０２ｄは、例えば、図４に示すようなエレベータのＢＩＭパーツを建築物のＢＩＭモデルの組み込んだ３次元の統合ＢＩＭモデルを含むレイアウト画面を表示部１１４に表示させる。
【００３２】
また、動作解析部１０２ｅは、画面表示部１０２ｄにより表示されたレイアウト画面上で昇降機のＢＩＭパーツの動作をシミュレーションする。具体的には、動作解析部１０２ｅは、昇降機のＢＩＭパーツに含まれるパーツ情報が示すＢＩＭパーツの上述の動作パラメータに基づいて昇降機のＢＩＭパーツの動作を統合ＢＩＭモデル内でシミュレーションする。また、動作解析部１０２ｅは、オブジェクト情報データベース１０６ｂに記憶された上述のオブジェクト情報に基づいてヒトオブジェクトを統合ＢＩＭモデル内で移動させながら、昇降機のＢＩＭパーツの動作をシミュレーションしてもよい。また、動作解析部１０２ｅは、オブジェクト情報データベース１０６ｂに記憶された上述のオブジェクト情報に基づいて環境オブジェクトを統合ＢＩＭモデル内で変化させながら昇降機のＢＩＭパーツの動作をシミュレーションしてもよい。
【００３３】
また、変更部１０２ｆは、画面表示部１０２ｄにより表示されたレイアウト画面上でＢＩＭモデル、又は、ＢＩＭパーツを変更する。具体的には、また、変更部１０２ｆは、利用者により入力される変更条件に応じて、ＢＩＭモデルデータベース１０６ａに記憶されているＢＩＭモデルに含まれる構造情報を変更することで、建築物のＢＩＭパーツを変更する。また、変更部１０２ｆは、利用者により入力される変更条件に応じてＢＩＭパーツに含まれるパーツ情報の上記設定パラメータを変更することで、昇降機のＢＩＭパーツを変更する。またこれにより、変更部１０２ｇは利用者により入力される変更条件に応じて、ＢＩＭパーツの各種配線配管を変更することもできる。そして、上記画面生成部１０２ｃは、変更部１０２ｆにより変更されたＢＩＭモデル、又は、ＢＩＭパーツを含むレイアウト画面、すなわち、変更されたＢＩＭモデル、又は、ＢＩＭパーツが反映された統合ＢＩＭモデルを含むレイアウト画面を生成する。画面表示部１０２ｄは、変更部１０２ｆにより変更されたＢＩＭモデル、又は、ＢＩＭパーツが反映された統合ＢＩＭモデルを含むレイアウト画面を表示部１１４に表示させる。これにより、このＢＩＭシステムは、利用者等による設計変更等を即座にＢＩＭモデル、ＢＩＭパーツ等に反映させ、表示部１１４に表示されている統合ＢＩＭモデルに反映させることができる。
【００３４】
ところで、このような昇降機では、建築物への設置の際に昇降機設備に必要な様々な設備工事が必要となる。
【００３５】
本実施形態は、ＢＩＭを用いて、例えば、昇降機設備の設備工事等の検討の際に実際の建築物の空間では見えづらい昇降機の配線配管関係を３次元のイメージモデルで視覚的に表し可視化する。これにより、本実施形態は、例えば、短期間で客先に最適な仕様等を提案すること、変更等に対してもタイムリーに作業を進めること、より効率的に業務をすすめること等を実現できるようにしている。
【００３６】
具体的には、経路生成部１０２ｇは、ＢＩＭモデルデータベース１０６ａに記憶されたＢＩＭモデル、及び、情報提供部２０２ｃによりサーバ装置２００から送信されるＢＩＭパーツに基づいて、統合ＢＩＭモデル内のＢＩＭパーツが表す昇降機の配線配管の設置経路（設置ルート）を生成する。経路生成部１０２ｇは、建築物のＢＩＭモデルに含まれる建築物の構造情報、及び、ＢＩＭパーツのパーツ情報に含まれるサイズ情報、配線配管情報等に基づいて、昇降機の配線配管の設置経路を生成する。経路生成部１０２ｇは、昇降機モデリング部２０２ｂによって作成されたＢＩＭパーツが表す昇降機の配線配管の設置経路を可視化すべく、例えば、昇降機のＢＩＭパーツに対応して予め設定されている配線配管の設置経路を生成する。経路生成部１０２ｇは、ＢＩＭパーツのパーツ情報に基づいて、昇降機において必要な配線配管に対してそれぞれ設置経路を生成する。またここでは、経路生成部１０２ｇは、後述する経路検索部１０２ｈにより検索された昇降機の配線配管の設置経路の候補を単数、又は、複数で生成することもできる。
【００３７】
経路検索部１０２ｈは、ＢＩＭモデルデータベース１０６ａに記憶されたＢＩＭモデル、及び、情報提供部２０２ｃによりサーバ装置２００から送信されるＢＩＭパーツに基づいて、統合ＢＩＭモデル内のＢＩＭパーツが表す昇降機の配線配管の設置経路を検索する。経路検索部１０２ｈは、建築物のＢＩＭモデルに含まれる建築物の構造情報、及び、ＢＩＭパーツのパーツ情報に含まれるサイズ情報、配線配管情報等に基づいて、昇降機の配線配管の設置経路を検索する。経路検索部１０２ｈは、ＢＩＭパーツのパーツ情報に基づいて、昇降機において必要な配線配管に対してそれぞれ設置経路を検索する。
【００３８】
具体的には、経路検索部１０２ｈは、例えば、建築物のＢＩＭモデルの構造情報（例えば、配線配管を敷設できる隙間、空間の寸法等）と、ＢＩＭパーツが表す昇降機で必要とされる各種設備に供される配線配管のサイズ情報、配線配管情報に基づいて、昇降機の配線配管の本数と共に設置経路を自動で検索する。経路検索部１０２ｈは、例えば、構造情報、配線配管のサイズ情報、配線配管情報等に基づいて、建築物の平面、立面、断面、規模、寸法、設置位置、電源設備容量、昇降機の仕様等から当該建築物における最適な昇降機の配線配管の設置経路を単数あるいは複数検索し候補として特定する。経路検索部１０２ｈは、例えば、最も設置距離の短い設置経路、最も施工容易性が高い設置経路、最も価格が安価な設置経路等、複数の設置経路を検索し候補として特定してもよい。また、経路検索部１０２ｈは、設置距離、施工容易性、価格等に基づいて、複数の設置経路を総合評価し、推奨順位が高い順に上位数本の設置経路を検索、特定するようにしてもよい。また、経路検索部１０２ｈは、補助設備設置位置、複数の配線配管の分岐点、集合点等を含めて自動で設置経路を検索、特定するようにしてもよい。また、経路検索部１０２ｈは、配線配管情報に基づいて、配線配管の重要度に応じて重要な配線配管（例えば、非常用ケーブル等）から順に安全な設置経路を検索、特定するようにしてもよい。なお、設置経路を検索する方法はこれに限定されない。
【００３９】
また、材料選定部１０２ｉは、ＢＩＭモデルデータベース１０６ａに記憶されたＢＩＭモデル、及び、情報提供部２０２ｃによりサーバ装置２００から送信されるＢＩＭパーツに基づいて、統合ＢＩＭモデル内のＢＩＭパーツが表す昇降機の配線配管の材料を選定する。材料選定部１０２ｉは、建築物のＢＩＭモデルに含まれる建築物の構造情報、及び、ＢＩＭパーツのパーツ情報に含まれるサイズ情報、配線配管情報等に基づいて、昇降機の配線配管の材料を選定する。材料選定部１０２ｉは、ＢＩＭパーツのパーツ情報に基づいて、昇降機において必要な配線配管に対してそれぞれ材料を選定する。材料選定部１０２ｉは、例えば、配線配管の使用対象（信号の種類等）、各種寸法、物性、設置距離等に応じて、耐久性、耐火性、耐震性、耐腐食性等の要求を満たす最適な材料を選定する。なお、材料を選定する方法はこれに限定されない。
【００４０】
検証部１０２ｊは、ＢＩＭモデルデータベース１０６ａに記憶されたＢＩＭモデル、及び、情報提供部２０２ｃによりサーバ装置２００から送信されるＢＩＭパーツに基づいて、統合ＢＩＭモデル内のＢＩＭパーツが表す昇降機の配線配管の注意箇所を検証する。検証部１０２ｊは、建築物のＢＩＭモデルに含まれる建築物の構造情報、及び、ＢＩＭパーツのパーツ情報に含まれるサイズ情報、配線配管情報等に基づいて、配線配管の注意箇所を検証する。検証部１０２ｊが検証する注意箇所は、例えば、保守点検がしにくい箇所、ＢＩＭモデルが表す建築物の他の用品等と干渉する箇所、ＢＩＭモデルが表す建築物の配線配管等との関係から、動力線との交差によるノイズや電圧降下等が発生するおそれがある箇所、下水管の下部通過箇所（推奨は下水管の上部通過）等である。
【００４１】
上記画面生成部１０２ｃは、統合モデリング部１０２ｂにより作成された統合ＢＩＭモデルと共に、経路生成部１０２ｇにより生成された昇降機の配線配管の設置経路を含むレイアウト画面を生成する。ここで、画面生成部１０２ｃは、経路検索部１０２ｈにより検索され経路生成部１０２ｇにより生成された複数の設置経路の候補、材料選定部１０２ｉにより選定された材料、検証部１０２ｊにより検証された注意箇所等を含むレイアウト画面を生成するようにしてもよい。そして、画面表示部１０２ｄは、例えば、図５に示すようなレイアウト画面を表示部１１４に表示させる。図５は、統合ＢＩＭモデルと配線配管の設置経路とを含むレイアウト画面の一例を示す図である。
【００４２】
図５に例示するレイアウト画面では、画面表示部１０２ｄは、設置経路として、監視用ルートの候補検索結果、電源ルート等を表示部１１４に表示させている。画面表示部１０２ｄは、利用者が入力部１１８を介してレイアウト画面上の設置経路のいずれかを指定すると、これに対応して、当該指定された設置経路に対応する配線配管の必要な距離、サイズ、材料、本数等の情報を同一のレイアウト画面上に表示してもよい。また、画面表示部１０２ｄは、利用者による指定にかかわらず、設置経路に対応する配線配管の必要な距離、サイズ、材料、本数等の情報をすでに含んだ状態のレイアウト画面を表示してもよい。また、画面表示部１０２ｄは、複数の設置経路を推奨順位等に応じて色分けして表示してもよい。また、画面表示部１０２ｄは、施工ミス等を未然に防止するべく、レイアウト画面上の設置経路の色と実際の配線配管の色とを対応させるようにして、複数の設置経路の表示を色分けしてもよい。また、画面表示部１０２ｄは、利用者の入力に応じて設置経路の表示、非表示を切り替えるようにしてもよい。また、図５に例示するレイアウト画面では、画面表示部１０２ｄは、設置経路上の注意箇所を表示部１１４に表示させている。画面表示部１０２ｄは、利用者が入力部１１８を介してレイアウト画面上の注意箇所を指定すると、これに対応して、同一のレイアウト画面上で当該指定された注意箇所を拡大表示し具体的な問題表示（図５の例ではノイズが乗らない半径表示）をしてもよい。また、画面表示部１０２ｄは、例えば、注意箇所を点滅表示させるようにしてもよい。
【００４３】
以上で、第１の実施形態におけるＢＩＭシステムの構成の一例の説明を終える。
【００４４】
［ＢＩＭシステムの処理］
次に、このように構成された第１の実施形態におけるＢＩＭシステムの処理の一例について、以下に図６を参照して詳細に説明する。図６は、第１の実施形態におけるＢＩＭシステムの処理の一例を示すフローチャートである。
【００４５】
図６に示すように、端末装置１００の作成条件送信部１０２ａは、サーバ装置２００にアクセス可能かを判定した後、可能であれば利用者により入力される作成条件をサーバ装置２００へ送信する（ステップＳＡ−１）。
【００４６】
そして、サーバ装置２００の作成条件受信部２０２ａは、ステップＳＡ−１にて作成条件送信部１０２ａの処理により送信される作成条件を受信する（ステップＳＡ−２）。
【００４７】
そして、サーバ装置２００の昇降機モデリング部２０２ｂは、ステップＳＡ−２にて作成条件受信部２０２ａの処理により受信された作成条件に対応する昇降機のＢＩＭパーツを、パーツ情報データベース２０６ａに記憶されたパーツ情報を用いて作成する（ステップＳＡ−３）。
【００４８】
そして、サーバ装置２００の情報提供部２０２ｃは、ステップＳＡ−３にて昇降機モデリング部２０２ｂの処理により作成された昇降機のＢＩＭパーツの情報を含むＢＩＭ情報を生成する（ステップＳＡ−４）。
【００４９】
そして、サーバ装置２００の情報提供部２０２ｃは、ステップＳＡ−５での処理により作成したＢＩＭ情報を端末装置１００へ送信する（ステップＳＡ−５）。
【００５０】
そして、端末装置１００の制御部１０２は、ステップＳＡ−５にて情報提供部２０２ｃの処理により送信されたＢＩＭ情報を受信する（ステップＳＡ−６）。
【００５１】
そして、端末装置１００の統合モデリング部１０２ｂは、ステップＳＡ−６にて制御部１０２の処理により受信されたＢＩＭ情報に含まれる単数または複数の昇降機のＢＩＭパーツを、ＢＩＭモデルデータベース１０６ａに記憶された建築物のＢＩＭモデルに組み込んだ統合ＢＩＭモデルを作成する（ステップＳＡ−７）。統合モデリング部１０２ｂは、ＢＩＭ情報に含まれる昇降機のＢＩＭパーツが複数ある場合には、複数の統合ＢＩＭモデルを作成してもよいし、利用者の入力に応じて選択された１つのＢＩＭパーツに対応する統合ＢＩＭモデルを作成してもよい。
【００５２】
そして、端末装置１００の経路検索部１０２ｈは、ＢＩＭモデルデータベース１０６ａに記憶されたＢＩＭモデル、及び、ステップＳＡ−６にて制御部１０２の処理により受信されＢＩＭモデルに組み込まれたＢＩＭパーツに基づいて、統合ＢＩＭモデル内のＢＩＭパーツが表す昇降機の配線配管の設置経路を検索する（ステップＳＡ−８）。
【００５３】
そして、端末装置１００の材料選定部１０２ｉは、ＢＩＭモデルデータベース１０６ａに記憶されたＢＩＭモデル、及び、ステップＳＡ−６にて制御部１０２の処理により受信されＢＩＭモデルに組み込まれたＢＩＭパーツに基づいて、統合ＢＩＭモデル内のＢＩＭパーツが表す昇降機の配線配管の材料を選定する（ステップＳＡ−９）。
【００５４】
そして、端末装置１００の経路生成部１０２ｇは、ＢＩＭモデルデータベース１０６ａに記憶されたＢＩＭモデル、及び、ステップＳＡ−６にて制御部１０２の処理により受信されＢＩＭモデルに組み込まれたＢＩＭパーツに基づいて、統合ＢＩＭモデル内のＢＩＭパーツが表す昇降機の配線配管の設置経路を生成する（ステップＳＡ−１０）。ここでは、経路生成部１０２ｇは、ステップＳＡ−８にて経路検索部１０２ｈの処理により検索された配線配管の設置経路の候補に基づいて、統合ＢＩＭモデル内のＢＩＭパーツが表す昇降機の配線配管の設置経路を生成する。
【００５５】
そして、端末装置１００の検証部１０２ｊは、ＢＩＭモデルデータベース１０６ａに記憶されたＢＩＭモデル、及び、ステップＳＡ−６にて制御部１０２の処理により受信されＢＩＭモデルに組み込まれたＢＩＭパーツに基づいて、統合ＢＩＭモデル内のＢＩＭパーツが表す昇降機の配線配管の注意箇所を検証する（ステップＳＡ−１１）。ここでは、検証部１０２ｊは、ステップＳＡ−１０にて経路生成部１０２ｇの処理により生成された配線配管の設置経路の注意箇所を検証する。
【００５６】
そして、端末装置１００の画面生成部１０２ｃは、ステップＳＡ−７にて統合モデリング部１０２ｂの処理により作成された統合ＢＩＭモデル、ステップＳＡ−９にて材料選定部１０２ｉの処理により選定された配線配管の材料、ステップＳＡ−１０にて経路生成部１０２ｇの処理により生成された配線配管の設置経路、ステップＳＡ−１１にて検証部１０２ｊの処理により検証された配線配管の設置経路の注意箇所を含むレイアウト画面を生成する（ステップＳＡ−１２）。
【００５７】
そして、端末装置１００の画面表示部１０２ｄは、ステップＳＡ−１２にて画面生成部１０２ｃの処理により生成されたレイアウト画面を表示部１１４に表示させる（ステップＳＡ−１３）。例えば、画面表示部１０２ｄは、上述した図５に例示すようなレイアウト画面を表示部１１４に表示させる。
【００５８】
そして、端末装置１００の動作解析部１０２ｅは、ステップＳＡ−１３にて画面表示部１０２ｄの処理により表示されたレイアウト画面上で昇降機のＢＩＭパーツの動作をシミュレーションする（ステップＳＡ−１４）。
【００５９】
そして、端末装置１００の変更部１０２ｆは、利用者の入力に応じて変更があるか否かを判定する（ステップＳＡ−１５）。
【００６０】
端末装置１００の変更部１０２ｆは、ステップＳＡ−１５での処理により変更があると判定した場合（ステップＳＡ−１５：Ｙｅｓ）、処理をステップＳＡ−１に移行させる。端末装置１００の制御部１０２は、ステップＳＡ−１５にて変更部１０２ｆの処理により変更がないと判定された場合（ステップＳＡ−１５：Ｎｏ）、この処理を終了する。
【００６１】
以上で、第１の実施形態におけるＢＩＭシステムの処理の一例の説明を終える。
【００６２】
上記のように構成されるＢＩＭシステムは、例えば、各業種にて建物全体データである建築物の３次元モデル（すなわち、建築物のＢＩＭモデル）を共有することができるので、１個のデータ上で関連性及び整合性の確認を行うことができる。そして、ＢＩＭシステムは、ＢＩＭモデルに昇降機のＢＩＭパーツを統合した統合ＢＩＭモデル上で、昇降機設備に必要な設備工事等の検討事項を可視化、検討することができるので、高い設計品質を確保することができ、作業効率を向上することができる。そして、ＢＩＭシステムは、図５に示すように端末装置１００の表示部１１４に、建築物のＢＩＭモデルに昇降機のＢＩＭパーツを組み込んだ統合ＢＩＭモデルと共に昇降機の配線配管の設置経路を含んだレイアウト画面を表示することができる。また、上記のように構成されるＢＩＭシステムは、図５に示すように端末装置１００の表示部１１４に、自動で検索された設置経路の候補、自動で選定された配線配管の材料、自動で検証された注意箇所等を含むレイアウト画面を表示することができる。したがって、ＢＩＭシステムは、ＢＩＭを用いて、例えば、昇降機設備の設備工事等の検討の際に実際の建築物の空間では見えづらい昇降機の配線配管関係を３次元のイメージモデルで視覚的に表し可視化することができる。
【００６３】
これにより、利用者は、施工前の計画段階で配線配管の設置経路のイメージをモデルから視覚的に容易に比較、確認することができ、昇降機の設備工事の内容を効率よく検討しすすめることができる。また、利用者は、例えば、自動で昇降機の配線配管の設置経路の候補を検索し、統合ＢＩＭモデル上で作図することができるので、新たに設備用の設計図等を用意することなく、昇降機の設備工事を行うことができる。言い換えれば、利用者は、昇降機を含む建築物の基本設計と実施設計とを連携したプロセスとすることができる。また、利用者は、配線配管の設置経路をシミュレーションし視覚的に判断して最適化を図ることができ、例えば、デザイン性の向上、コスト低減、作業性向上、作業時間短縮等を図ることができる。また、利用者は、例えば、統合ＢＩＭモデル上で、配線配管の設置経路上の問題箇所の全体を事前に視覚的に確認できる。これにより、利用者は、現場の調整を容易にすることができ、また、事前に注意する箇所を把握し検討することができる。また、設計変更等が即座に利用者に対してフィードバックされ、よって、利用者は、タイムリーに作業を進めることができる。また、利用者は、統合モデル上にて昇降機の配線配管と建築物内の他の配線配管との関係を視覚的に確認することもできる。また、利用者は、昇降機の設置状態について、関連業者間での詳細な検討及び確認を立体的に行うことができ、例えば、施工段階での取合い不備の発生を防止することができる。
【００６４】
また、利用者は、例えば、客先や関係業者との調整、修正の過程を効率的に経ることができ、また同一建築物内での他の設備工事等との整合性も容易に図ることができる。また、利用者は、例えば、配線配管のイメージを含めた昇降機のデザイン選定等においても、客先のイメージの相互確認を容易に行うことができ、設備提案を効率よく行うことができ、短期間で客先に最適な仕様等を提案する。また、利用者は、レイアウト画面上で昇降機のＢＩＭパーツの動作をシミュレーションすることができ、例えば、工事完了後の利用者の誘導導線や利用環境、昇降機の動き等を可視化してシミュレーションすることができ、客先に対して容易に種々の検証及び提案を行うことができる。
【００６５】
なお、以上で説明した端末装置１００の制御部１０２は、動作解析部１０２ｅ、変更部１０２ｆ、経路検索部１０２ｈ、材料選定部１０２ｉ、検証部１０２ｊを備えない構成であってもよい。また、図６で例示したＢＩＭシステムの処理は、ステップＳＡ−８、ステップＳＡ−９、ステップＳＡ−１１、ステップＳＡ−１４、ステップＳＡ−１５等を含まない構成であってもよい。
【００６６】
［第２の実施形態］
図７は、第２の実施形態におけるサーバ装置の構成の一例を示すブロック図、図８は、第２の実施形態における処理の一例を示すフローチャートである。なお、以下の第２の実施形態（サーバ装置２００（サーバ主導型））の説明では、上述した実施形態と共通する構成、作用、効果については、重複した説明はできるだけ省略する。また、図７は、第２の実施形態におけるサーバ装置２００の構成のうち主として本実施形態に関係する部分を概念的に示している。
【００６７】
なお、第２の実施形態においては、サーバ装置２００側で統合ＢＩＭモデルを作成し、当該統合ＢＩＭモデルを端末装置１００へ送信している。このように、第２の実施形態は、サーバ装置２００にてサーバ主導で処理を行う点が、その他の実施形態と異なる。
【００６８】
［サーバ装置２００（サーバ主導型）の構成］
まず、第２の実施形態におけるサーバ装置２００（サーバ主導型）の構成の一例について、図７を参照して以下に説明する。
【００６９】
図７に示すように、第２の実施形態のサーバ装置２００は、出力部（表示部１１４及び音声出力部１１６）と入力部１１８と制御部１０２とを少なくとも備えた端末装置１００に通信可能に接続され、制御部２０２と記憶部２０６とを少なくとも備える。通信には、一例として、ネットワーク３００を介した有線・無線通信等の遠隔通信等を含む。また、これらサーバ装置２００及び端末装置１００の各部は任意の通信路を介して通信可能に接続されている。
【００７０】
図７において、サーバ装置２００は、端末装置１００から送信される作成条件に対応する昇降機のＢＩＭパーツを、記憶部２０６に記憶されたパーツ情報を用いて作成する機能を有する。そして、サーバ装置２００は、作成された昇降機のＢＩＭパーツを、記憶部２０６に記憶された建築物のＢＩＭモデルに組み込んだ統合ＢＩＭモデルを作成する機能を有する。そして、サーバ装置２００は、作成された統合ＢＩＭモデルを端末装置１００へ送信することにより、端末装置１００において、当該統合ＢＩＭモデルを含むレイアウト画面が表示部１１４に表示させる等の機能を有する。また、サーバ装置２００は、統合ＢＩＭモデル内のＢＩＭパーツが表す昇降機の配線配管の設置経路を生成し、生成した配線配管の設置経路を端末装置１００へ送信することにより、端末装置１００において、統合ＢＩＭモデルと当該配線配管の設置経路とを含むレイアウト画面が表示部１１４に表示させる等の機能を有する。
【００７１】
なお、サーバ装置２００における通信制御インターフェース部２０４及び記憶部２０６（パーツ情報記憶手段としてのパーツ情報データベース２０６ａ、ＢＩＭモデル記憶手段としてのＢＩＭモデルデータベース２０６ｂ、及び、オブジェクト情報記憶手段としてのオブジェクト情報データベース２０６ｃ等）の機能、また、端末装置１００における表示部１１４、音声出力部１１６、及び、入力部１１８の機能は、第１の実施形態と実質的に同様であるため説明を省略する。
【００７２】
また、図７において、制御部２０２は、ＯＳ等の制御プログラムや、各種の処理手順等を規定したプログラム、及び、所要データを格納するための内部メモリを有する。そして、制御部２０２は、これらのプログラム等により、種々の処理を実行するための情報処理を行う。制御部２０２は、機能概念的に、作成条件受信手段としての作成条件受信部２０２ａ、昇降機モデリング手段としての昇降機モデリング部２０２ｂ、及び、情報提供手段としての情報提供部２０２ｃ、を備える。さらに、制御部２０２は、機能概念的に、統合モデリング手段としての統合モデリング部２０２ｄ、経路生成手段としての経路生成部２０２ｅ、経路検索手段としての経路検索部２０２ｆ、材料選定手段としての材料選定部２０２ｇ、検証手段としての検証部２０２ｈを備える。なお、作成条件受信部２０２ａ、及び、昇降機モデリング部２０２ｂの機能は、第１の実施形態と実質的に同様であるため説明を省略する。以下、説明を簡単にするため、統合モデリング部２０２ｄ〜検証部２０２ｈを先に説明し、情報提供部２０２ｃを最後に説明する。
【００７３】
このうち、統合モデリング部２０２ｄは、昇降機モデリング部２０２ｂにより作成された昇降機のＢＩＭパーツを、ＢＩＭモデルデータベース２０６ｂに記憶された建築物のＢＩＭモデルに組み込んだ統合ＢＩＭモデルを作成する。ここで、統合モデリング部２０２ｄは、作成した統合ＢＩＭモデルを記憶部２０６に格納して、統合ＢＩＭモデルデータベース（図示せず）を構築してもよい。
【００７４】
また、経路生成部２０２ｅは、ＢＩＭモデルデータベース２０６ｂに記憶されたＢＩＭモデル、及び、昇降機モデリング部２０２ｂにより作成された昇降機のＢＩＭパーツに基づいて、統合ＢＩＭモデル内のＢＩＭパーツが表す昇降機の配線配管の設置経路（設置ルート）を生成する。またここでは、経路生成部２０２ｅは、後述する経路検索部２０２ｆにより検索された昇降機の配線配管の設置経路の候補を単数、又は、複数で生成することもできる。
【００７５】
また、経路検索部２０２ｆは、ＢＩＭモデルデータベース２０６ｂに記憶されたＢＩＭモデル、及び、昇降機モデリング部２０２ｂにより作成された昇降機のＢＩＭパーツに基づいて、統合ＢＩＭモデル内のＢＩＭパーツが表す昇降機の配線配管の設置経路を検索する。
【００７６】
また、材料選定部２０２ｇは、ＢＩＭモデルデータベース２０６ｂに記憶されたＢＩＭモデル、及び、昇降機モデリング部２０２ｂにより作成された昇降機のＢＩＭパーツに基づいて、統合ＢＩＭモデル内のＢＩＭパーツが表す昇降機の配線配管の材料を選定する。
【００７７】
また、検証部２０２ｈは、ＢＩＭモデルデータベース２０６ｂに記憶されたＢＩＭモデル、及び、昇降機モデリング部２０２ｂにより作成された昇降機のＢＩＭパーツに基づいて、統合ＢＩＭモデル内のＢＩＭパーツが表す昇降機の配線配管の注意箇所を検証する。
【００７８】
また、情報提供部２０２ｃは、統合モデリング部２０２ｄにより作成された統合ＢＩＭモデルを端末装置１００へ送信する。また、情報提供部２０２ｃは、必要に応じて、昇降機モデリング部２０２ｂにより作成された昇降機のＢＩＭパーツ、経路生成部２０２ｅにより生成された昇降機の配線配管の設置経路、材料選定部２０２ｇにより選定された昇降機の配線配管の材料、検証部２０２ｈにより検証された昇降機の配線配管の注意箇所等を、統合ＢＩＭモデルとともに送信してもよい。ここでは、情報提供部２０２ｃは、統合ＢＩＭモデルの情報、必要に応じてＢＩＭパーツの情報、配線配管の設置経路の情報、配線配管の材料の情報、配線配管の注意箇所の情報を含むＢＩＭ情報を生成し、生成されたＢＩＭ情報を端末装置１００へ送信する。また、情報提供部２０２ｃは、必要に応じて、さらにパーツ情報データベース２０６ａに記憶されているパーツ情報、ＢＩＭモデルデータベース２０６ｂに記憶されているＢＩＭモデルの構造情報、オブジェクト情報データベース２０６ｃに記憶されているオブジェクト情報を含むＢＩＭ情報を生成し、生成されたＢＩＭ情報を端末装置１００へ送信する。
【００７９】
以上で、第２の実施形態におけるサーバ装置２００の構成の一例の説明を終える。
【００８０】
なお、図７において、端末装置１００の制御部１０２は、図示しないが第１の実施形態と同様に、作成条件送信手段、画面生成手段、画面表示手段、動作解析手段、変更手段を備えている。第２の実施形態では、端末装置１００が備える画面生成手段がサーバ装置２００から受信した統合ＢＩＭモデル、配線配管の設置経路、配線配管の材料、配線配管の注意箇所等を含むレイアウト画面を生成する点、動作解析部１０２ｅがサーバ装置２００から受信した各種情報に基づいてレイアウト画面上で昇降機のＢＩＭパーツの動作をシミュレーションする点を除き、各手段の機能は第１の実施形態と実質的に同様であるため説明を省略する。
【００８１】
［サーバ装置２００（サーバ主導型）の処理］
次に、このように構成された第２の実施形態におけるサーバ装置２００の処理の一例について、以下に図８を参照して詳細に説明する。図８は、第２の実施形態におけるサーバ装置２００の処理の一例を示すフローチャートである。
【００８２】
図８に示すように、端末装置１００の制御部１０２は、サーバ装置２００にアクセス可能かを判定した後、可能であれば利用者により入力される作成条件をサーバ装置２００へ送信する（ステップＳＢ−１）。
【００８３】
そして、サーバ装置２００の作成条件受信部２０２ａは、ステップＳＢ−１にて作成条件送信部１０２ａの処理により送信される作成条件を受信する（ステップＳＢ−２）。
【００８４】
そして、サーバ装置２００の昇降機モデリング部２０２ｂは、ステップＳＢ−２にて作成条件受信部２０２ａの処理により受信された作成条件に対応する昇降機のＢＩＭパーツを、パーツ情報データベース２０６ａに記憶されたパーツ情報を用いて作成する（ステップＳＢ−３）。
【００８５】
そして、サーバ装置２００の統合モデリング部２０２ｄは、ステップＳＢ−３にて昇降機モデリング部２０２ｂの処理により作成された昇降機のＢＩＭパーツを、ＢＩＭモデルデータベース２０６ｂに記憶された建築物のＢＩＭモデルに組み込んだ統合ＢＩＭモデルを作成する（ステップＳＢ−４）。
【００８６】
そして、サーバ装置２００の経路検索部２０２ｆは、ＢＩＭモデルデータベース２０６ｂに記憶されたＢＩＭモデル、及び、ステップＳＢ−３にて昇降機モデリング部２０２ｂの処理により作成された昇降機のＢＩＭパーツに基づいて、統合ＢＩＭモデル内のＢＩＭパーツが表す昇降機の配線配管の設置経路を検索する（ステップＳＢ−５）。
【００８７】
そして、サーバ装置２００の材料選定部２０２ｇは、ＢＩＭモデルデータベース２０６ｂに記憶されたＢＩＭモデル、及び、ステップＳＢ−３にて昇降機モデリング部２０２ｂの処理により作成された昇降機のＢＩＭパーツに基づいて、統合ＢＩＭモデル内のＢＩＭパーツが表す昇降機の配線配管の材料を選定する（ステップＳＢ−６）。
【００８８】
そして、サーバ装置２００の経路生成部２０２ｅは、ＢＩＭモデルデータベース２０６ｂに記憶されたＢＩＭモデル、及び、ステップＳＢ−３にて昇降機モデリング部２０２ｂの処理により作成された昇降機のＢＩＭパーツに基づいて、統合ＢＩＭモデル内のＢＩＭパーツが表す昇降機の配線配管の設置経路を生成する（ステップＳＢ−７）。ここでは、経路生成部２０２ｅは、ステップＳＢ−５にて経路検索部２０２ｆの処理により検索された配線配管の設置経路に基づいて、統合ＢＩＭモデル内のＢＩＭパーツが表す昇降機の配線配管の設置経路を生成する。
【００８９】
そして、サーバ装置２００の検証部２０２ｈは、ＢＩＭモデルデータベース２０６ｂに記憶されたＢＩＭモデル、及び、ステップＳＢ−３にて昇降機モデリング部２０２ｂの処理により作成された昇降機のＢＩＭパーツに基づいて、統合ＢＩＭモデル内のＢＩＭパーツが表す昇降機の配線配管の注意箇所を検証する（ステップＳＢ−８）。ここでは、検証部２０２ｈは、ステップＳＢ−７にて経路生成部２０２ｅの処理により生成された配線配管の設置経路の注意箇所を検証する。
【００９０】
そして、サーバ装置２００の情報提供部２０２ｃは、ステップＳＢ−４にて昇降機モデリング部２０２ｂの処理により作成された統合ＢＩＭモデルの情報を含むＢＩＭ情報を生成する（ステップＳＢ−９）。情報提供部２０２ｃは、必要に応じてさらにステップＳＢ−６にて材料選定部２０２ｇの処理により選定された配線配管の材料の情報、ステップＳＢ−７にて経路生成部２０２ｅの処理により生成された昇降機の配線配管の設置経路の情報、ステップＳＢ−８にて検証部２０２ｈの処理により検証された配線配管の注意箇所の情報を含むＢＩＭ情報を生成する。また、情報提供部２０２ｃは、必要に応じてさらにパーツ情報データベース２０６ａに記憶されているパーツ情報、ＢＩＭモデルデータベース２０６ｂに記憶されているＢＩＭモデルの構造情報、オブジェクト情報データベース２０６ｃに記憶されているオブジェクト情報を含むＢＩＭ情報を生成する。
【００９１】
そして、サーバ装置２００の情報提供部２０２ｃは、ステップＳＢ−９での処理により作成したＢＩＭ情報を端末装置１００へ送信する（ステップＳＢ−１０）。
【００９２】
そして、端末装置１００の制御部１０２は、ステップＳＢ−１０にて情報提供部２０２ｃの処理により送信されたＢＩＭ情報を受信する（ステップＳＢ−１１）。
【００９３】
そして、端末装置１００の制御部１０２は、ステップＳＢ−１１にて制御部１０２の処理により受信されたＢＩＭ情報に基づいてレイアウト画面を生成する（ステップＳＢ−１２）。
【００９４】
そして、端末装置１００の制御部１０２は、ステップＳＢ−１２にて制御部１０２の処理により生成されたレイアウト画面を表示部１１４に表示させる（ステップＳＢ−１３）。例えば、制御部１０２は、上述した図５に例示すようなレイアウト画面を表示部１１４に表示させる。
【００９５】
そして、端末装置１００の制御部１０２は、ステップＳＢ−１３にて制御部１０２の処理により表示されたレイアウト画面上で昇降機のＢＩＭパーツの動作をシミュレーションする（ステップＳＢ−１４）。
【００９６】
そして、端末装置１００の制御部１０２は、利用者の入力に応じて変更があるか否かを判定する（ステップＳＢ−１５）。
【００９７】
端末装置１００の制御部１０２は、ステップＳＢ−１５での処理により変更があると判定した場合（ステップＳＢ−１５：Ｙｅｓ）、処理をステップＳＢ−１に移行させる。端末装置１００の制御部１０２は、ステップＳＢ−１５での処理により変更がないと判定した場合（ステップＳＢ−１５：Ｎｏ）、この処理を終了する。
【００９８】
以上で、第２の実施形態におけるサーバ装置２００の処理の一例の説明を終える。
【００９９】
［第３の実施形態］
図９は、第３の実施形態におけるＢＩＭ装置の構成の一例を示すブロック図、図１０は、第３の実施形態における処理の一例を示すフローチャートである。なお、以下の第３の実施形態（ＢＩＭ装置４００（スタンドアロン型））の説明では、上述した実施形態と共通する構成、作用、効果については、重複した説明はできるだけ省略する。また、図９は、第３の実施形態におけるＢＩＭ装置４００の構成のうち主として本実施形態に関係する部分を概念的に示している。
【０１００】
なお、第３の実施形態のＢＩＭシステムにおいては、全ての機能をＢＩＭ装置４００に集約し、ＢＩＭ装置４００は、利用者により入力される作成条件に対応するＢＩＭパーツを、記憶部４０６に記憶されたパーツ情報を用いて作成する機能を有する。そして、ＢＩＭ装置４００は、作成されたＢＩＭパーツを記憶部４０６に記憶されたＢＩＭモデルに組み込んだ統合ＢＩＭモデルを作成する機能を有する。そして、ＢＩＭ装置４００は、作成された統合ＢＩＭモデルを含むレイアウト画面を生成し、生成されたレイアウト画面を表示部４１４に表示させる等の機能を有する。また、ＢＩＭ装置４００は、統合ＢＩＭモデル内のＢＩＭパーツが表す昇降機の配線配管の設置経路を生成し、生成した配線配管の設置経路と統合ＢＩＭモデルとを含むレイアウト画面を表示部４１４に表示させる等の機能を有する。このように、第３の実施形態は、ＢＩＭ装置４００がスタンドアロン型に構成され単独で処理を行う点がその他の実施形態と異なる。
【０１０１】
［ＢＩＭ装置４００（スタンドアロン型）の構成］
まず、第３の実施形態におけるＢＩＭ装置４００（スタンドアロン型）の構成の一例について、図９を参照して以下に説明する。
【０１０２】
図９に示すように、第３の実施形態のＢＩＭ装置４００は、出力部（表示部４１４及び音声出力部４１６）と入力部４１８と制御部４０２と記憶部４０６とを少なくとも備える。これらＢＩＭ装置４００の各部は任意の通信路を介して通信可能に接続されてもよい。ＢＩＭ装置４００は、例えば、ＰＮＤ（Ｐｏｒｔａｂｌｅ  Ｎａｖｉｇａｔｉｏｎ  Ｄｅｖｉｃｅ）等の各種情報処理端末、ノート型のパーソナルコンピュータ等の各種情報処理装置、または、携帯電話やＰＨＳやＰＤＡ等の携帯端末装置等であってもよい。また、ＢＩＭ装置４００は、通信制御インターフェース部（図示せず）を介してネットワークを経由し、外部装置と相互に通信可能に接続されていてもよい。
【０１０３】
図９において、入出力制御インターフェース部４０８、表示部４１４、音声出力部４１６、及び、入力部４１８の各機能は、第１の実施形態と実質的に同様であるため説明を省略する。また、記憶部４０６の各部（パーツ情報記憶手段としてのパーツ情報データベース４０６ａ、ＢＩＭモデル記憶手段としてのＢＩＭモデルデータベース４０６ｂ、及び、オブジェクト情報記憶手段としてのオブジェクト情報データベース４０６ｃ等）についても、サーバ装置２００ではなくＢＩＭ装置４００に備えられている点を除き、各機能が第１の実施形態と実質的に同様であるため説明を省略する。
【０１０４】
また、制御部４０２の各部については、本実施形態のＢＩＭ装置４００がスタンドアロン型であり、制御部４０２が各送信部を備えていない点を除き、各機能は第１の実施形態と基本的に同様である。
【０１０５】
また、図９において、制御部４０２は、ＯＳ等の制御プログラムや、各種の処理手順等を規定したプログラム、及び、所要データを格納するための内部メモリを有する。そして、制御部４０２は、これらのプログラム等により、種々の処理を実行するための情報処理を行う。制御部４０２は、機能概念的に、作成条件設定としての作成条件設定部４０２ａ、昇降機モデリング手段としての昇降機モデリング部４０２ｂ、統合モデリング手段としての統合モデリング部４０２ｃを備える。さらに、制御部４０２は、機能概念的に、画面生成手段としての画面生成部４０２ｄ、画面表示手段としての画面表示部４０２ｅ、動作解析手段としての動作解析部４０２ｆ、変更手段としての変更部４０２ｇを備える。さらに、制御部４０２は、機能概念的に、経路生成手段としての経路生成部４０２ｈ、経路検索手段としての経路検索部４０２ｉ、材料選定手段としての材料選定部４０２ｊ、検証手段としての検証部４０２ｋを備える。
【０１０６】
このうち、作成条件設定部４０２ａは、利用者により入力される作成条件を設定する作成条件設定手段である。ここで、作成条件は、利用者により入力部４１８を介して入力されたものであってもよいし、予め作成条件が記憶された外部記憶装置（図示せず）から読み込まれたものであってもよい。
【０１０７】
また、昇降機モデリング部４０２ｂは、作成条件設定部４０２ａにより設定された作成条件に対応する昇降機のＢＩＭパーツを、パーツ情報データベース４０６ａに記憶されたパーツ情報を用いて作成する。ここで、昇降機モデリング部４０２ｂは、作成した昇降機のＢＩＭパーツを記憶部４０６に格納して、ＢＩＭパーツデータベース（図示せず）を構築してもよい。
【０１０８】
また、統合モデリング部４０２ｃは、昇降機モデリング部４０２ｂにより作成された昇降機のＢＩＭパーツを、ＢＩＭモデルデータベース４０６ｂに記憶された建築物のＢＩＭモデルに組み込んだ統合ＢＩＭモデルを作成する。ここで、統合モデリング部４０２ｃは、作成した統合ＢＩＭモデルを記憶部４０６に格納して、統合ＢＩＭモデルデータベース（図示せず）を構築してもよい。
【０１０９】
また、画面生成部４０２ｄは、統合モデリング部４０２ｃにより作成された統合ＢＩＭモデルを含むレイアウト画面を生成する。ここでまた、画面生成部４０２ｄは、後述の変更部４０２ｇにより変更された昇降機のＢＩＭパーツを含むレイアウト画面を生成してもよい。また、画面生成部４０２ｄは、後述の経路生成部４０２ｈにより生成された昇降機の配線配管の設置経路を含むレイアウト画面を生成してもよい。また、画面生成部４０２ｄは、後述の材料選定部４０２ｊにより選定された配線配管の材料を含むレイアウト画面を生成してもよい。また、画面生成部４０２ｄは、後述の検証部４０２ｋにより検証された配線配管の注意箇所を含むレイアウト画面を生成してもよい。
【０１１０】
また、画面表示部４０２ｅは、画面生成部４０２ｄにより生成されたレイアウト画面を表示部４１４に表示させる。
【０１１１】
また、動作解析部４０２ｆは、画面表示部４０２ｅにより表示されたレイアウト画面上で昇降機のＢＩＭパーツの動作をシミュレーションする。
【０１１２】
また、変更部４０２ｇは、画面表示部４０２ｅにより表示されたレイアウト画面上でＢＩＭパーツを変更する。
【０１１３】
また、経路生成部４０２ｈは、ＢＩＭモデルデータベース４０６ｂに記憶されたＢＩＭモデル、及び、昇降機モデリング部４０２ｂにより作成された昇降機のＢＩＭパーツに基づいて、統合ＢＩＭモデル内のＢＩＭパーツが表す昇降機の配線配管の設置経路（設置ルート）を生成する。またここでは、経路生成部４０２ｈは、後述する経路検索部４０２ｉにより検索された昇降機の配線配管の設置経路の候補を単数、又は、複数で生成することもできる。
【０１１４】
また、経路検索部４０２ｉは、ＢＩＭモデルデータベース４０６ｂに記憶されたＢＩＭモデル、及び、昇降機モデリング部４０２ｂにより作成された昇降機のＢＩＭパーツに基づいて、統合ＢＩＭモデル内のＢＩＭパーツが表す昇降機の配線配管の設置経路を検索する。
【０１１５】
また、材料選定部４０２ｊは、ＢＩＭモデルデータベース４０６ｂに記憶されたＢＩＭモデル、及び、昇降機モデリング部４０２ｂにより作成された昇降機のＢＩＭパーツに基づいて、統合ＢＩＭモデル内のＢＩＭパーツが表す昇降機の配線配管の材料を選定する。
【０１１６】
また、検証部４０２ｋは、ＢＩＭモデルデータベース４０６ｂに記憶されたＢＩＭモデル、及び、昇降機モデリング部４０２ｂにより作成された昇降機のＢＩＭパーツに基づいて、統合ＢＩＭモデル内のＢＩＭパーツが表す昇降機の配線配管の注意箇所を検証する。
【０１１７】
以上で、第３の実施形態におけるＢＩＭ装置４００の構成の一例の説明を終える。
【０１１８】
［ＢＩＭ装置４００（スタンドアロン型）の処理］
次に、このように構成された第３の実施形態におけるＢＩＭ装置４００の処理の一例について、以下に図１０を参照して詳細に説明する。図１０は、第３の実施形態におけるＢＩＭ装置４００の処理の一例を示すフローチャートである。
【０１１９】
図１０に示すように、まず、作成条件設定部４０２ａは、利用者により入力される作成条件を設定する（ステップＳＣ−１）。
【０１２０】
そして、昇降機モデリング部４０２ｂは、ステップＳＣ−１にて作成条件設定部４０２ａの処理により設定された作成条件に対応する昇降機のＢＩＭパーツを、パーツ情報データベース４０６ａに記憶されたパーツ情報を用いて作成する（ステップＳＣ−２）。
【０１２１】
そして、統合モデリング部４０２ｃは、ステップＳＣ−２にて昇降機モデリング部４０２ｂの処理により作成された昇降機のＢＩＭパーツを、ＢＩＭモデルデータベース４０６ｂに記憶された建築物のＢＩＭモデルに組み込んだ統合ＢＩＭモデルを作成する（ステップＳＣ−３）。
【０１２２】
そして、経路検索部４０２ｉは、ＢＩＭモデルデータベース４０６ｂに記憶されたＢＩＭモデル、及び、ステップＳＣ−２にて昇降機モデリング部４０２ｂの処理により作成された昇降機のＢＩＭパーツに基づいて、統合ＢＩＭモデル内のＢＩＭパーツが表す昇降機の配線配管の設置経路を検索する（ステップＳＣ−４）。
【０１２３】
そして、材料選定部４０２ｊは、ＢＩＭモデルデータベース４０６ｂに記憶されたＢＩＭモデル、及び、ステップＳＣ−２にて昇降機モデリング部４０２ｂの処理により作成された昇降機のＢＩＭパーツに基づいて、統合ＢＩＭモデル内のＢＩＭパーツが表す昇降機の配線配管の材料を選定する（ステップＳＣ−５）。
【０１２４】
そして、経路生成部４０２ｈは、ＢＩＭモデルデータベース４０６ｂに記憶されたＢＩＭモデル、及び、ステップＳＣ−２にて昇降機モデリング部４０２ｂの処理により作成された昇降機のＢＩＭパーツに基づいて、統合ＢＩＭモデル内のＢＩＭパーツが表す昇降機の配線配管の設置経路を生成する（ステップＳＣ−６）。ここでは、経路生成部４０２ｈは、ステップＳＣ−４にて経路検索部４０２ｉの処理により検索された配線配管の設置経路の候補に基づいて、統合ＢＩＭモデル内のＢＩＭパーツが表す昇降機の配線配管の設置経路を生成する。
【０１２５】
そして、検証部４０２ｋは、ＢＩＭモデルデータベース４０６ｂに記憶されたＢＩＭモデル、及び、ステップＳＣ−２にて昇降機モデリング部４０２ｂの処理により作成された昇降機のＢＩＭパーツに基づいて、統合ＢＩＭモデル内のＢＩＭパーツが表す昇降機の配線配管の注意箇所を検証する（ステップＳＣ−７）。ここでは、検証部４０２ｋは、ステップＳＣ−６にて経路生成部４０２ｈの処理により生成された配線配管の設置経路の注意箇所を検証する。
【０１２６】
画面生成部４０２ｄは、レイアウト画面を生成する（ステップＳＣ−８）。画面生成部４０２ｄは、ステップＳＣ−３にて統合モデリング部４０２ｃの処理により作成された統合ＢＩＭモデル、ステップＳＣ−５にて材料選定部４０２ｊの処理により選定された配線配管、ステップＳＣ−６にて経路生成部４０２ｈの処理により生成された昇降機の配線配管の設置経路、ステップＳＣ−７にて検証部４０２ｋの処理により検証された配線配管の注意箇所に基づいたレイアウト画面を生成する。
【０１２７】
そして、画面表示部４０２ｅは、ステップＳＣ−８にて画面生成部４０２ｄの処理により生成されたレイアウト画面を表示部４１４に表示させる（ステップＳＣ−９）。例えば、画面表示部４０２ｅは、上述した図５に例示すようなレイアウト画面を表示部４１４に表示させる。
【０１２８】
そして、動作解析部４０２ｆは、ステップＳＣ−９にて画面表示部４０２ｅの処理により表示されたレイアウト画面上で昇降機のＢＩＭパーツの動作をシミュレーションする（ステップＳＣ−１０）。
【０１２９】
そして、変更部４０２ｇは、利用者の入力に応じて変更があるか否かを判定する（ステップＳＣ−１１）。
【０１３０】
変更部４０２ｇは、ステップＳＣ−１１での処理により変更があると判定した場合（ステップＳＣ−１１：Ｙｅｓ）、処理をステップＳＣ−１に移行させる。変更部４０２ｇは、ステップＳＣ−１１での処理により変更がないと判定した場合（ステップＳＣ−１１：Ｎｏ）、この処理を終了する。
【０１３１】
以上で、第３の実施形態におけるＢＩＭ装置４００の処理の一例の説明を終える。
【０１３２】
このように、上述した第１〜第３の実施形態によれば、利用者により入力される作成条件に対応するＢＩＭパーツを、パーツ情報を用いて作成し、作成されたＢＩＭパーツをＢＩＭモデルに組み込んだ統合ＢＩＭモデルを作成する。そして、第１〜第３の実施形態によれば、作成された統合ＢＩＭモデルを含むレイアウト画面を生成し、生成されたレイアウト画面を表示させる。よって、第１〜第３の実施形態によれば、利用者が昇降機の設備計画を提案する際、建築物に昇降機を組み込んだ状態を視覚的に分かりやすく表示することができる。また、利用者は、昇降機を設置する建築物の設計段階から施工、竣工後、リニューアル（改修）時等の全体を通したシミュレーションを行うことができる。これにより、利用者は、昇降機を設置する建築物の設計において、全体的な管理及び確認を行えるので、客先の要望をより良く反映した提案が容易となる。その結果、本実施形態によれば、利用者は、打合せ時間の短縮ができ、不具合発生率の低減もでき、更に、再製作時等のコストを抑制することができる。
【０１３３】
［他の実施の形態］
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１３４】
例えば、上述の実施形態は、昇降機としてエレベータを例について説明したが、エスカレータ、動く歩道等の乗客コンベアについても同様に適用できる。
【０１３５】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１３６】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１３７】
また、端末装置１００、サーバ装置２００、及び、ＢＩＭ装置４００に関して、図示の各構成要素は機能概念的なものであり、必ずしも物理的に図示の如く構成されていることを要しない。
【０１３８】
例えば、端末装置１００、サーバ装置２００、及び、ＢＩＭ装置４００の各装置が備える処理機能、特に制御部１０２、制御部２０２、及び、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）及び当該ＣＰＵにて解釈実行されるプログラムにて実現してもよく、また、ワイヤードロジックによるハードウェアとして実現してもよい。尚、プログラムは、後述する記録媒体に記録されており、必要に応じて端末装置１００、サーバ装置２００、及び、ＢＩＭ装置４００に機械的に読み取られる。すなわち、ＲＯＭまたはＨＤＤなどの記憶部１０６、記憶部２０６、及び、記憶部４０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１３９】
また、このコンピュータプログラムは、端末装置１００、サーバ装置２００、及び、ＢＩＭ装置４００に対して任意のネットワーク３００を介して接続されたアプリケーションプログラムサーバに記憶されていてもよく、必要に応じてその全部または一部をダウンロードすることも可能である。
【０１４０】
また、プログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、及び、Ｂｌｕ−ｒａｙ  Ｄｉｓｃ等の任意の「可搬用の物理媒体」を含むものとする。
【０１４１】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１４２】
記憶部１０６、記憶部２０６、及び、記憶部４０６に格納される各種のデータベース等（ＢＩＭモデルデータベース１０６ａ、オブジェクト情報データベース１０６ｂ、パーツ情報データベース２０６ａ、ＢＩＭモデルデータベース２０６ｂ、オブジェクト情報データベース２０６ｃ、パーツ情報データベース４０６ａ、ＢＩＭモデルデータベース４０６ｂ、及び、オブジェクト情報データベース４０６ｃ）は、ＲＡＭ、ＲＯＭ等のメモリ装置、ハードディスク等の固定ディスク装置、フレキシブルディスク、及び、光ディスク等のストレージ手段であり、各種処理やウェブサイト提供に用いる各種のプログラム、テーブル、データベース、及び、ウェブページ用ファイル等を格納する。
【０１４３】
また、端末装置１００、サーバ装置２００、及び、ＢＩＭ装置４００は、既知のパーソナルコンピュータ、ワークステーション等の情報処理装置として構成してもよく、また、該情報処理装置に任意の周辺装置を接続して構成してもよい。また、端末装置１００、サーバ装置２００、及び、ＢＩＭ装置４００は、該情報処理装置に本実施形態の方法を実現させるソフトウェア（プログラム、データ等を含む）を実装することにより実現してもよい。
【０１４４】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【０１４５】
以上で説明した実施形態、変形例に係るＢＩＭシステム、サーバ装置、端末装置、方法及びプログラムによれば、昇降機の設備計画を提案する際、建築物に昇降機を組み込んだ状態を視覚的に分かりやすく表示することができる。
【符号の説明】
【０１４６】
１００  端末装置
１０２  制御部
１０２ａ  作成条件送信部
１０２ｂ  統合モデリング部
１０２ｃ  画面生成部
１０２ｄ  画面表示部
１０２ｅ  動作解析部
１０２ｆ  変更部
１０２ｇ  経路生成部
１０２ｈ  経路検索部
１０２ｉ  材料選定部
１０２ｊ  検証部
１０４  通信制御インターフェース部
１０６  記憶部
１０６ａ  ＢＩＭモデルデータベース
１０６ｂ  オブジェクト情報データベース
１０８  入出力制御インターフェース部
１１４  表示部
１１６  音声出力部
１１８  入力部
２００  サーバ装置
２０２  制御部
２０２ａ  作成条件受信部
２０２ｂ  昇降機モデリング部
２０２ｃ  情報提供部
２０２ｄ  統合モデリング部
２０２ｅ  経路生成部
２０２ｆ  経路検索部
２０２ｇ  材料選定部
２０２ｈ  検証部
２０４  通信制御インターフェース部
２０６  記憶部
２０６ａ  パーツ情報データベース
２０６ｂ  ＢＩＭモデルデータベース
２０６ｃ  オブジェクト情報データベース
３００  ネットワーク
４００  ＢＩＭ装置（ＢＩＭシステム）
４０２  制御部
４０２ａ  作成条件設定部
４０２ｂ  昇降機モデリング部
４０２ｃ  統合モデリング部
４０２ｄ  画面生成部
４０２ｅ  画面表示部
４０２ｆ  動作解析部
４０２ｇ  変更部
４０２ｈ  経路生成部
４０２ｉ  経路検索部
４０２ｊ  材料選定部
４０２ｋ  検証部
４０６  記憶部
４０６ａ  パーツ情報データベース
４０６ｂ  ＢＩＭモデルデータベース
４０６ｃ  オブジェクト情報データベース
４０８  入出力制御インターフェース部
４１４  表示部
４１６  音声出力部
４１８  入力部
【図１】
0005591881.tif 000002
【図２】
0005591881.tif 000003
【図３】
0005591881.tif 000004
【図４】
0005591881.tif 000005
【図５】
0005591881.tif 000006
【図６】
0005591881.tif 000007
【図７】
0005591881.tif 000008
【図８】
0005591881.tif 000009
【図９】
0005591881.tif 000010
【図１０】
0005591881.tif 000011